(57)【要約】  本開示は、画像データの解析に従って時間的変調方法を選択し、その時間的変調方法に従ってピクセルアレイを制御するための、コンピュータ記憶媒体上に符号化されたコンピュータプログラムを含むシステム、方法、および装置を提供する。この解析は、画像コンテンツデータまたは画像色域データのうちの少なくとも１つを解析することを含み得る。
2016516210.tif 000002
【特許請求の範囲】
【請求項１】
ディスプレイデバイスであって、
ピクセルのアレイ、前記ピクセルの各々は、黒を含む複数の原色を生成するように構成される、ならびに
画像データを受信することと、
画像解析データを生成するために前記画像データを解析することと、
前記画像解析データに少なくとも部分的に基づいて時間的変調方法を選択することと、
前記原色、および前記原色の間の中間である複数の色を含む色パレットを生成するために前記時間的変調方法に従って前記ピクセルを制御することとを行うように構成された制御システムを備える、ディスプレイデバイス。
【請求項２】
前記解析することのプロセスが、画像コンテンツデータまたは画像色域データのうちの少なくとも１つを解析することを含む、請求項１に記載のディスプレイデバイス。
【請求項３】
前記制御システムが、単一フレームの画像データを受信および解析することに基づいて前記時間的変調方法を選択するように構成される、請求項１または２に記載のディスプレイデバイス。
【請求項４】
前記制御システムが、複数フレームの画像データを受信および解析することに基づいて前記時間的変調方法を選択するように構成される、請求項１または２に記載のディスプレイデバイス。
【請求項５】
前記解析することのプロセスが、前記複数フレームの画像データ中の１つまたは複数のオブジェクトの動き解析を含む、請求項４に記載のディスプレイデバイス。
【請求項６】
前記解析することのプロセスが、
前記画像データの画像色域分布を決定することと、
画像色域データボリュームを生成するために前記画像色域分布をサンプリングすることとを含む、請求項１〜５のいずれか一項に記載のディスプレイデバイス。
【請求項７】
前記選択することのプロセスが、前記画像色域データボリュームを複数の色パレットデータボリュームと比較することを含み、前記色パレットデータボリュームの各々が、時間的変調方法に対応する、請求項６に記載のディスプレイデバイス。
【請求項８】
前記解析することのプロセスが、
顕著エリアを決定するために前記画像データにおける顕著性解析を実行することと、
前記顕著エリアの画像色域分布を決定することとを含む、請求項１〜７のいずれか一項に記載のディスプレイデバイス。
【請求項９】
前記顕著エリアが、人間または動物の特徴に対応する、請求項８に記載のディスプレイデバイス。
【請求項１０】
前記特徴が、顔の特徴である、請求項９に記載のディスプレイデバイス。
【請求項１１】
時間的変調方法を選択することが、複数の時間的変調方法に対応するデータを含む参照テーブルにアクセスすることを含む、請求項１〜１０のいずれか一項に記載のディスプレイデバイス。
【請求項１２】
前記ピクセルが、多状態干渉変調器（ＭＳ−ＩＭＯＤ）を含む、請求項１〜１１のいずれか一項に記載のディスプレイデバイス。
【請求項１３】
前記制御システムが、
プロセッサと、
少なくとも１つの信号を前記ディスプレイデバイスのディスプレイに送るように構成されたドライバ回路と、
前記画像データの少なくとも一部分を前記ドライバ回路に送るように構成されたコントローラとをさらに備える、請求項１〜１２のいずれか一項に記載のディスプレイデバイス。
【請求項１４】
前記制御システムが、
前記画像データを前記プロセッサに送るように構成された画像ソースモジュールをさらに備え、ここにおいて、前記画像ソースモジュールは、受信機、トランシーバ、または送信機のうちの少なくとも１つを含む、請求項１３に記載のディスプレイデバイス。
【請求項１５】
入力データを受信し、前記入力データを前記制御システムに通信するように構成された入力デバイスをさらに備える、請求項１〜１４のいずれか一項に記載のディスプレイデバイス。
【請求項１６】
ディスプレイデバイスであって、
２つ以上の原色を生成するように構成されたディスプレイ要素のアレイ、ここにおいて、各原色が、時間的変調のない固定されたグレーレベルを有し、各原色の前記グレーレベルが、時間的変調を使用して調整され得、ならびに
画像データを受信することと、
画像解析データを生成するために前記画像データを解析することと、
前記画像解析データに少なくとも部分的に基づいて時間的変調方法を選択することと、
前記原色、および前記原色の間の中間である複数の色を含む色パレットを生成するために前記時間的変調方法に従って前記ディスプレイ要素を制御することとを行うように構成された制御システムを備える、ディスプレイデバイス。
【請求項１７】
前記解析することのプロセスが、画像コンテンツデータまたは画像色域データのうちの少なくとも１つを解析することを含む、請求項１６に記載のディスプレイデバイス。
【請求項１８】
前記解析することのプロセスが、前記画像データの画像色域分布を決定することと、画像色域データボリュームを生成するために前記画像色域分布をサンプリングすることとを含み、ここにおいて、前記選択することのプロセスが、前記画像色域データボリュームを複数の色パレットデータボリュームと比較することを含み、前記色パレットデータボリュームの各々が、時間的変調方法に対応する、請求項１６または請求項１７に記載のディスプレイデバイス。
【請求項１９】
方法であって、
画像データを受信することと、
画像解析データを生成するために前記画像データを解析することと、
前記画像解析データに少なくとも部分的に基づいて時間的変調方法を選択することと、
原色、および前記原色の間の中間である複数の色を含む色パレットを生成するために前記時間的変調方法に従って複数のピクセルを制御することとを備える、方法。
【請求項２０】
前記解析することのプロセスが、画像コンテンツデータまたは画像色域データのうちの少なくとも１つを解析することを含む、請求項１９に記載の方法。
【請求項２１】
前記解析することのプロセスが、
前記画像データの画像色域分布を決定することと、
画像色域データボリュームを生成するために前記画像色域分布をサンプリングすることとを含む、請求項１９または請求項２０に記載の方法。
【請求項２２】
前記選択することのプロセスが、前記画像色域データボリュームを複数の色パレットデータボリュームと比較することを含み、前記色パレットデータボリュームの各々が、時間的変調方法に対応する、請求項２１に記載の方法。
【請求項２３】
前記解析することのプロセスが、
顕著エリアを決定するために前記画像データにおける顕著性解析を実行することと、
前記顕著エリアの画像色域分布を決定することとを含む、請求項１９〜２２のいずれか一項に記載の方法。
【請求項２４】
ディスプレイデバイスであって、
ピクセルのアレイ、前記ピクセルの各々は、黒を含む複数の原色を生成するように構成される、ならびに
画像データを受信することと、
画像解析データを生成するために前記画像データを解析することと、
前記画像解析データに少なくとも部分的に基づいて時間的変調方法を選択することと、
前記原色、および前記原色の間の中間である複数の色を含む色パレットを生成するために前記時間的変調方法に従って前記ピクセルを制御することとを行うための制御手段を備える、ディスプレイデバイス。
【請求項２５】
前記解析することのプロセスが、前記画像データの画像色域分布を決定することと、画像色域データボリュームを生成するために前記画像色域分布をサンプリングすることとを含み、ここにおいて、前記選択することのプロセスが、前記画像色域データボリュームを複数の色パレットデータボリュームと比較することを含み、前記色パレットデータボリュームの各々が、時間的変調方法に対応する、請求項２４に記載のディスプレイデバイス。
【請求項２６】
前記ピクセルが、多状態干渉変調器（ＭＳ−ＩＭＯＤ）を含む、請求項２４または請求項２５に記載のディスプレイデバイス。
【請求項２７】
ソフトウェアが記憶された非一時的媒体であって、前記ソフトウェアが、
画像データを受信することと、
画像解析データを生成するために前記画像データを解析することと、
前記画像解析データに少なくとも部分的に基づいて時間的変調方法を選択することと、
原色、および前記原色の間の中間である複数の色を含む色パレットを生成するために前記時間的変調方法に従って複数のピクセルを制御することとを行うようにディスプレイデバイスを制御するための命令を含む、非一時的媒体。
【請求項２８】
前記解析することのプロセスが、画像コンテンツデータまたは画像色域データのうちの少なくとも１つを解析することを含む、請求項２７に記載の非一時的媒体。
【請求項２９】
前記解析することのプロセスが、前記画像データの画像色域分布を決定することと、画像色域データボリュームを生成するために前記画像色域分布をサンプリングすることとを含み、ここにおいて、前記選択することのプロセスが、前記画像色域データボリュームを複数の色パレットデータボリュームと比較することを含み、前記色パレットデータボリュームの各々が、時間的変調方法に対応する、請求項２７または請求項２８に記載の非一時的媒体。
【発明の詳細な説明】
【技術分野】
【０００１】
優先権主張
[0001]  本出願は、参照により本明細書に組み込まれる、２０１３年２月５日に出願された「ＩＭＡＧＥ−ＤＥＰＥＮＤＥＮＴ  ＴＥＭＰＯＲＡＬ  ＳＬＯＴ  ＤＥＴＥＲＭＩＮＡＴＩＯＮ  ＦＯＲ  ＭＵＬＴＩ−ＳＴＡＴＥ  ＩＭＯＤＳ」と題する米国特許出願第１３／７５９２７１号（整理番号第ＱＵＡＬＰ１７９／１２４１７９号）の優先権を主張する。
【０００２】
[0002]  本開示は、電気機械システムおよびデバイスに関し、さらに詳細には、反射ディスプレイデバイスを実装するための電気機械システムに関する。
【背景技術】
【０００３】
[0003]  電気機械システム（ＥＭＳ：Electromechanical system）は、電気的および機械的要素と、アクチュエータと、トランスデューサと、センサと、ミラーおよび光学フィルムなどの光学的構成要素と、電子回路とを有するデバイスを含む。ＥＭＳデバイスまたは要素は、限定はしないが、マイクロスケールおよびナノスケールを含む、様々なスケールで製造され得る。たとえば、マイクロ電気機械システム（ＭＥＭＳ）デバイスは、約１ミクロンから数百ミクロン以上の範囲のサイズを有する構造を含むことができる。ナノ電気機械システム（ＮＥＭＳ）デバイスは、たとえば数百ナノメートルより小さいサイズなど、１ミクロンより小さいサイズを有する構造を含むことができる。電気機械要素は、堆積、エッチング、リソグラフィ、ならびに／あるいは基板および／もしくは堆積材料層の一部をエッチング除去する、または層を追加して電気的および電気機械的デバイスを形成する他のマイクロ加工プロセスを用いて作成され得る。
【０００４】
[0004]  １つのタイプのＥＭＳデバイスは、干渉変調器（ＩＭＯＤ）と呼ばれる。ＩＭＯＤまたは干渉光変調器という用語は、光学干渉の原理を使用して光を選択的に吸収および／または反射するデバイスを指す。いくつかの実装形態では、ＩＭＯＤディスプレイ要素が導電性プレートのペアを含み得、導電性プレートの一方または両方は、全体的にまたは部分的に、透明および／または反射性であり、適切な電気信号の印加時に相対運動が可能であり得る。たとえば、一方のプレートが、基板の上に堆積されたか、基板上に堆積されたか、または基板によって支持された固定層を含み得、他方のプレートが、エアギャップによって固定層から分離された反射膜を含み得る。別のプレートに対するあるプレートの位置は、ＩＭＯＤディスプレイ要素に入射する光の光学干渉を変化させることができる。ＩＭＯＤベースのディスプレイデバイスは、広範囲の適用例を有しており、既存の製品を改善し、新しい製品、特にディスプレイ能力をもつ製品を作成する際に使用されることが予期される。
【０００５】
[0005]  いくつかのＩＭＯＤは、双状態ＩＭＯＤであり、これは、それらのＩＭＯＤが開位置および閉位置の２つの位置のみでしか構成され得ないことを意味する。単一の画像ピクセルは、通常は、３つ以上の双状態ＩＭＯＤを含み、それらの双状態ＩＭＯＤの各々が、サブピクセルに対応する。多状態干渉変調器（ＭＳ−ＩＭＯＤ）またはアナログＩＭＯＤ（Ａ−ＩＭＯＤ）を含むディスプレイデバイスでは、ピクセルの反射色は、個別のＩＭＯＤの吸収体スタックと反射体スタックとの間のギャップ間隔または「ギャップ高さ」によって決定され得る。いくつかのＡ−ＩＭＯＤは、多数のギャップ高さの間に実質的に連続的に位置決めされ得るが、ＭＳ−ＩＭＯＤは、一般に、それより少ない数のギャップ高さの中に位置決めされ得る。その結果として、Ａ−ＩＭＯＤは、ＭＳ−ＩＭＯＤのクラスの特殊な場合として、すなわち極めて多数の制御可能なギャップ高さを有するＭＳ−ＩＭＯＤとして見なされ得る。したがって、Ａ−ＩＭＯＤおよびＭＳ−ＩＭＯＤは、本明細書では両方ともＭＳ−ＩＭＯＤと呼ばれる。
【０００６】
[0006]  ＭＳ−ＩＭＯＤの以前のバージョンは、おおむね満足できる性能を提供することができるが、改良されたデバイスおよび方法があれば望ましい。
【発明の概要】
【０００７】
[0007]  本開示のシステム、方法、およびデバイスは、いくつかの革新的な態様をそれぞれ有し、それらの態様は、１つとして、本明細書に開示される望ましい属性を単独で担うものではない。
【０００８】
[0008]  本開示に記載される対象の１つの革新的な態様は、ピクセルのアレイと制御システムとを含むディスプレイデバイスに実装され得る。いくつかの実装形態では、これらのピクセルは、多状態干渉変調器（ＭＳ−ＩＭＯＤ）を含み得る。ピクセルのアレイ中のピクセルの各々は、黒を含む複数の原色を生成するように構成され得る。制御システムは、画像データを受信することと、画像解析データを生成するために画像データを解析することを行うように構成され得る。制御システムは、画像解析データに少なくとも部分的に基づいて時間的変調方法を選択することと、原色、および原色の間の中間である複数の色を含む色パレットを生成するために時間的変調方法に従ってピクセルを制御することとを行うように構成され得る。
【０００９】
[0009]  いくつかの実装形態では、解析プロセスは、画像コンテンツデータまたは画像色域データのうちの少なくとも１つを解析することを含み得る。制御システムは、単一フレームの画像データを受信および解析すること、ならびに／または複数フレームの画像データを受信および解析することに基づいて時間的変調方法を選択するように構成される。解析プロセスは、複数フレームの画像データ中の１つまたは複数のオブジェクトの動き解析を含み得る。
【００１０】
[0010]  解析プロセスは、画像データの画像色域分布を決定することと、画像色域データボリュームを生成するために画像色域分布をサンプリングすることとを含み得る。
【００１１】
[0011]  選択プロセスは、画像色域データボリュームを複数の色パレットデータボリュームと比較することを含み得る。色パレットデータボリュームの各々は、時間的変調方法に対応し得る。時間的変調方法を選択することは、複数の時間的変調方法に対応するデータを含む参照テーブルなどのデータ構造にアクセスすることを含み得る。
【００１２】
[0012]  いくつかの実装形態では、解析プロセスは、顕著エリアを決定するために画像データに対して顕著性解析を実行することと、顕著エリアの画像色域分布を決定することとを含み得る。顕著エリアは、人間または動物の特徴に対応し得る。たとえば、特徴は、顔の特徴を含み得る。
【００１３】
[0013]  制御システムは、プロセッサと、少なくとも１つの信号をディスプレイデバイスのディスプレイに送るように構成されたドライバ回路と、画像データの少なくとも一部分をドライバ回路に送るように構成されたコントローラとを含み得る。制御システムは、画像データをプロセッサに送るように構成された画像ソースモジュールを含み得る。画像ソースモジュールは、受信機、トランシーバ、または送信機を含み得る。ディスプレイデバイスは、入力データを受信し、入力データを制御システムに通信するように構成された入力デバイスも含み得る。
【００１４】
[0014]  本開示に記載する対象の別の革新的な態様は、ディスプレイ要素のアレイと制御システムとを含むディスプレイデバイスに実装され得る。ディスプレイ要素のアレイは、２つ以上の原色を生成するように構成され得る。各原色は、時間的変調のない固定されたグレーレベルを有し得る。各原色のグレーレベルは、時間的変調を使用して調整され得る。制御システムは、画像データを受信することと、画像解析データを生成するために画像データを解析することとを行うように構成され得る。制御システムは、画像解析データに少なくとも部分的に基づいて時間的変調方法を選択することと、原色、および原色の間の中間である複数の色を含む色パレットを生成するために時間的変調方法に従ってディスプレイ要素を制御することとを行うように構成され得る。
【００１５】
[0015]  いくつかの実装形態では、解析プロセスは、画像コンテンツデータまたは画像色域データのうちの少なくとも１つを解析することを含み得る。
【００１６】
[0016]  解析プロセスは、画像データの画像色域分布を決定することと、画像色域データボリュームを生成するために画像色域分布をサンプリングすることとを含み得る。選択プロセスは、画像色域データボリュームを複数の色パレットデータボリュームと比較することを含み得る。色パレットデータボリュームの各々は、時間的変調方法に対応し得る。
【００１７】
[0017]  本開示に記載する対象の別の革新的な態様は、画像データを受信することと、画像解析データを生成するために画像データを解析することと、画像解析データに少なくとも部分的に基づいて時間的変調方法を選択することと、色パレットを生成するために時間的変調方法に従って複数のピクセルを制御することとを含み得る方法に実装され得る。色パレットは、原色と、原色の間の中間である複数の色とを含み得る。
【００１８】
[0018]  いくつかの実装形態では、解析プロセスは、画像コンテンツデータおよび／または画像色域データを解析することを含み得る。たとえば、解析プロセスは、画像データの画像色域分布を決定することと、画像色域データボリュームを生成するために画像色域分布をサンプリングすることとを含み得る。選択プロセスは、画像色域データボリュームを複数の色パレットデータボリュームと比較することを含み得る。色パレットデータボリュームの各々は、時間的変調方法に対応し得る。いくつかの実装形態は、顕著エリアを決定するために画像データに対して顕著性解析を実行することと、顕著エリアの画像色域分布を決定することとを含み得る。
【００１９】
[0019]  本開示に記載する対象の別の革新的な態様は、ソフトウェアが記憶された非一時的媒体に実装され得る。ソフトウェアは、画像データを受信することと、画像解析データを生成するために画像データを解析することと、少なくとも部分的には画像解析データに基づいて時間的変調方法を選択することとを行うようにディスプレイデバイスを制御するための命令を含み得る。ソフトウェアは、原色と、原色の間の中間である複数の色とを含む色パレットを生成するために時間的変調方法に従って複数のピクセルを制御するようにディスプレイデバイスを制御するための命令を含み得る。
【００２０】
[0020]  いくつかの実装形態では、解析プロセスは、画像コンテンツデータおよび／または画像色域データを解析することを含み得る。解析プロセスは、画像データの画像色域分布を決定することと、画像色域データボリュームを生成するために画像色域分布をサンプリングすることとを含み得る。選択プロセスは、画像色域データボリュームを複数の色パレットデータボリュームと比較することを含み得る。色パレットデータボリュームの各々は、時間的変調方法に対応し得る。
【００２１】
[0021]  本開示で説明する主題の１つまたは複数の実装形態の詳細が、添付の図面および以下の説明に記載されている。他の特徴、態様、および利点は、説明、図面、および特許請求の範囲から明らかになるであろう。なお、次の図面の相対寸法は、一定の比率で描かれていないこともあることに留意されたい。
【図面の簡単な説明】
【００２２】
【図１】[0022]  ＩＭＯＤディスプレイデバイスのディスプレイ要素の連続またはアレイ中の２つの隣接する干渉変調器（ＩＭＯＤ）ディスプレイ要素を示す等角図。
【図２】[0023]  ＩＭＯＤディスプレイ要素の３×３要素アレイを含むＩＭＯＤ型ディスプレイを組み込んだ電子デバイスを示すシステムブロック図。
【図３】[0024]  ＩＭＯＤディスプレイまたはディスプレイ要素のための製造プロセスを示す流れ図。
【図４Ａ】[0025]  ＩＭＯＤディスプレイまたはディスプレイ要素を作製するプロセス中の様々な段階を示す断面図。
【図４Ｂ】ＩＭＯＤディスプレイまたはディスプレイ要素を作製するプロセス中の様々な段階を示す断面図。
【図４Ｃ】ＩＭＯＤディスプレイまたはディスプレイ要素を作製するプロセス中の様々な段階を示す断面図。
【図４Ｄ】ＩＭＯＤディスプレイまたはディスプレイ要素を作製するプロセス中の様々な段階を示す断面図。
【図４Ｅ】ＩＭＯＤディスプレイまたはディスプレイ要素を作製するプロセス中の様々な段階を示す断面図。
【図５Ａ】[0026]  ＥＭＳ要素のアレイとバックプレートとを含む電気機械システム（ＥＭＳ）パッケージの一部分の概略展開部分斜視図。
【図５Ｂ】ＥＭＳ要素のアレイとバックプレートとを含む電気機械システム（ＥＭＳ）パッケージの一部分の概略展開部分斜視図。
【図６Ａ】[0027]  多状態ＩＭＯＤ（ＭＳ−ＩＭＯＤ）がどのようにして様々な色を生成するように構成され得るかを示す例を示す図。
【図６Ｂ】多状態ＩＭＯＤ（ＭＳ−ＩＭＯＤ）がどのようにして様々な色を生成するように構成され得るかを示す例を示す図。
【図６Ｃ】多状態ＩＭＯＤ（ＭＳ−ＩＭＯＤ）がどのようにして様々な色を生成するように構成され得るかを示す例を示す図。
【図６Ｄ】多状態ＩＭＯＤ（ＭＳ−ＩＭＯＤ）がどのようにして様々な色を生成するように構成され得るかを示す例を示す図。
【図６Ｅ】多状態ＩＭＯＤ（ＭＳ−ＩＭＯＤ）がどのようにして様々な色を生成するように構成され得るかを示す例を示す図。
【図７Ａ】[0028]  ４つのバイナリ重み付けされた時間スロットに対応する３つの原色の色パレットを示す図。
【図７Ｂ】[0029]  ４つの時間スロットと異なる比とに対応する３つの原色の代替の色パレットを示す図。
【図８】[0030]  ２つの画像の画像色域分布を示すグラフ。
【図９】[0031]  制御システムとピクセルのアレイとを含む装置のブロック図。
【図１０】[0032]  選択された時間的変調方法に従ってピクセルアレイを制御する方法を概説する流れ図。
【図１１】[0033]  選択された時間的変調方法に従ってピクセルアレイを制御する代替の方法を概説する流れ図。
【図１２Ａ】[0034]  複数のＩＭＯＤディスプレイ要素を含むディスプレイデバイス４０を示すシステムブロック図。
【図１２Ｂ】複数のＩＭＯＤディスプレイ要素を含むディスプレイデバイス４０を示すシステムブロック図。
【発明を実施するための形態】
【００２３】
[0035]  様々な図面における同じ参照番号および呼称は、同じ要素を示す。
【００２４】
[0036]  以下の説明は、本開示の革新的な態様を説明するための特定の実装態様を対象としたものである。ただし、本明細書の教示が多数の異なる方法で適用され得ることを、当業者は容易に認識されよう。説明する実装形態は、動いていようと（ビデオなど）、静止していようと（静止画像など）、およびテキストであろうと、グラフィックであろうと、絵であろうと、画像を表示するように構成され得る任意のデバイス、装置、またはシステムにおいて実装され得る。さらに詳細には、説明する実装態様は、限定はされないが、モバイル電話、マルチメディアのインターネットへの接続が可能な携帯電話、モバイルテレビジョン受信機、ワイヤレスデバイス、スマートフォン、Ｂｌｕｅｔｏｏｔｈ（登録商標）デバイス、携帯情報端末（ＰＤＡ）、ワイヤレス電子メール受信機、ハンドヘルドまたはポータブルコンピュータ、ネットブック、ノートブック、スマートブック、タブレット、プリンタ、コピー機、スキャナ、ファクシミリデバイス、全地球測位システム（ＧＰＳ）受信機／ナビゲータ、カメラ、デジタルメディアプレイヤ（ＭＰ３プレイヤなど）、カムコーダ、ゲームコンソール、腕時計、置き時計、計算機、テレビジョンモニタ、フラットパネルディスプレイ、電子読取りデバイス（たとえば電子書籍リーダ）、コンピュータモニタ、オートディスプレイ（オドメータおよびスピードメータディスプレイを含む）、コックピットコントローラおよび／またはディスプレイ、カメラビューディスプレイ（車両のバックミラーカメラのディスプレイなど）、電子写真、電子掲示板または標識、プロジェクタ、建築構造物、電子レンジ、冷蔵庫、ステレオシステム、カセットレコーダまたはプレイヤ、ＤＶＤプレイヤ、ＣＤプレイヤ、ＶＣＲ、ラジオ、ポータブルメモリチップ、洗濯機、乾燥機、洗濯乾燥機、パーキングメータ、パッケージング（マイクロ電子機械システム（ＭＥＭＳ）の適用例を含む電子機械システム（ＥＭＳ）の適用例、および非ＥＭＳの適用例にパッケージされるものなど）、美的構造（宝石または服の上の画像の表示など）、ならびに様々なＥＭＳデバイスなど、様々な電子デバイスに含まれ得る、または関連付けられ得るものと企図されている。また、本明細書の教示は、限定はしないが、電子スイッチングデバイス、無線周波フィルタ、センサ、加速度計、ジャイロスコープ、動き感知デバイス、磁力計、コンシューマーエレクトロニクスのための慣性構成要素、コンシューマーエレクトロニクス製品の部品、バラクタ、液晶デバイス、電気泳動デバイス、駆動方式、製造プロセスおよび電子テスト機器など、非ディスプレイ適用例において使用され得る。したがって、これらの教示は、図面のみに示される実装形態に限定されるように意図されているのではなく、当業者には容易に明らかになるように、幅広い適用性を有する。
【００２５】
[0037]  時間的変調方法は、一般に、各タイムスロットの持続時間があらかじめ決定されている固定数のタイムスロットの間に所定数の色のうちの１つまたは複数を生成するために、ディスプレイのピクセルまたはサブピクセルを制御することを含む。異なる時間的スロットの比は、異なる色パレットを生じる。所与のセットの時間スロットは、いくつかの色（たとえば暗色）をレンダリングするのに適した色パレットを生成し得るが、同じ色パレットが、色パレット中のいわゆる「ホール」（すなわち最も近いパレット色でもそれから比較的遠い色空間ｓＲＧＢ中の領域）の存在によって、他のいくつかの色（たとえば皮膚色調）の不十分なレンダリングにもつながり得る。本明細書に記載される様々な実装形態は、画像データを分析し、その分析に従って時間的変調方法を選択し、その時間的変調方法に従ってＭＳ−ＩＭＯＤディスプレイを制御するように構成され得るディスプレイデバイスを含む。
【００２６】
[0038]  本開示に記載される対象の１つの特定の実装形態は、以下の潜在的な利点のうちの１つまたは複数を実現するように実装され得る。隣接するＭＳ−ＩＭＯＤの色を結合することを含む空間的ディザリングの量を低減する、またはなくすことによって、本明細書に記載される方法およびデバイスは、空間的解像度の増加、および／またはディザアーチファクトの減少を実現し得る。画像データに従って適合的に時間的変調方法を選択することにより、時間的変調方法に対応した色パレットを、ディスプレイ上にレンダリングされる画像に適したものにすることができる。
【００２７】
[0039]  説明する実装形態が適用され得る好適なＥＭＳまたはＭＥＭＳデバイスまたは装置の一例は反射型ディスプレイデバイスである。反射型ディスプレイデバイスは、光学干渉の原理を使用してそれに入射する光を選択的に吸収および／または反射するために実装され得る干渉変調器（ＩＭＯＤ）ディスプレイ要素を組み込むことができる。ＩＭＯＤディスプレイ要素は、部分光吸収体（absorber）、吸収体に対して可動である反射体（reflector）、ならびに吸収体と反射体との間に画定された光共振キャビティを含むことができる。いくつかの実装形態では、反射体は、２つ以上の異なる位置に移動され得、これは、光共振キャビティのサイズを変化させ、それによってＩＭＯＤの反射率（reflectance）に影響を及ぼすことができる。ＩＭＯＤディスプレイ要素の反射スペクトルは、異なる色を生成するために可視波長にわたってシフトされ得るかなり広いスペクトルバンドをもたらすことができる。スペクトルバンドの位置は、光共振キャビティの厚さを変更することによって調整され得る。光共振キャビティを変更する１つの方法は、吸収体に関して反射体の位置を変更することによる方法である。
【００２８】
[0040]  図１は、干渉変調器（ＩＭＯＤ）ディスプレイデバイスのディスプレイ要素のシリーズまたはアレイ中の２つの隣接するＩＭＯＤディスプレイ要素を示す等角図である。ＩＭＯＤディスプレイデバイスは、１つまたは複数の干渉ＥＭＳ（ＭＥＭＳなど）ディスプレイ要素を含む。これらのデバイスでは、干渉ＭＥＭＳディスプレイ要素は、明状態または暗状態のいずれかに構成され得る。明（「緩和」、「開」または「オン」など）状態では、ディスプレイ要素は入射可視光の大部分を反射する。逆に、暗（「作動」、「閉」または「オフ」など）状態では、ディスプレイ要素は入射可視光をほとんど反射しない。ＭＥＭＳディスプレイ要素は、黒および白に加えて、主にカラーディスプレイを可能にする光の特定の波長で反射するように構成され得る。いくつかの実装形態では、複数のディスプレイ要素を使用することによって、原色の様々な強度およびグレーの様々な濃淡が達成され得る。
【００２９】
[0041]  ＩＭＯＤディスプレイデバイスは、行と列に構成され得るＩＭＯＤディスプレイ要素のアレイを含むことができる。アレイ中の各ディスプレイ要素は、（光ギャップ、キャビティまたは光共振キャビティとも呼ばれる）エアギャップを形成するように互いから可変で制御可能な距離をおいて配置された、可動反射層（すなわち、機械層とも呼ばれる可動層）と固定部分反射層（すなわち、固定層）など、少なくとも反射層と半反射層のペアを含むことができる。可動反射層は、少なくとも２つの位置の間で移動され得る。たとえば、第１の位置、すなわち、緩和位置では、可動反射層は、固定部分反射層から距離をおいて配置され得る。第２の位置、すなわち、作動位置では、可動反射層は、部分反射層により近接して配置され得る。それらの２つの層から反射する入射光は、可動反射層の位置と入射光の（１つまたは複数の）波長とに応じて、強め合うようにおよび／または弱め合うように干渉し、各ディスプレイ要素について全反射状態または無反射状態のいずれかを引き起こすことがある。いくつかの実装形態では、ディスプレイ要素は、作動していないときに反射状態にあり、可視スペクトル内の光を反射し得、また、作動しているときに暗状態にあり、可視範囲内の光を吸収し、および／または弱め合うようにそれに干渉し得る。ただし、いくつかの他の実装形態では、ＩＭＯＤディスプレイ要素は、作動していないときに暗状態にあり、作動しているときに反射状態にあり得る。いくつかの実装形態では、印加電圧の導入が、状態を変更するようにディスプレイ要素を駆動することができる。いくつかの他の実装形態では、印加電荷が、状態を変更するようにディスプレイ要素を駆動することができる。
【００３０】
[0042]  図１中のアレイの図示の部分は、ＩＭＯＤディスプレイ要素１２の形態の２つの隣接する干渉ＭＥＭＳディスプレイ要素を含む。（図示のような）右側のディスプレイ要素１２では、可動反射層１４は、光学スタック１６の近くの、それに隣接する、またはそれに接触する作動位置に示されている。右側のディスプレイ要素１２の両端間に印加される電圧Ｖbiasは、可動反射層１４を移動させ、作動位置に維持するのに十分である。（図示のような）左側のディスプレイ要素１２では、可動反射層１４は、部分反射層を含む光学スタック１６から（設計パラメータに基づいてあらかじめ決定され得る）ある距離をおいた緩和位置に示されている。左側のディスプレイ要素１２の両端間に印加される電圧Ｖ0は、右側のディスプレイ要素１２のような作動位置までの可動反射層１４の作動を引き起こすには不十分である。
【００３１】
[0043]  図１では、ＩＭＯＤディスプレイ要素１２の反射特性は、ＩＭＯＤディスプレイ要素１２に入射する光１３と、左側のディスプレイ要素１２から反射される光１５とを示す矢印で大まかに示されている。ディスプレイ要素１２に入射する光１３の大部分は透明基板２０を透過し、光学スタック１６に向かい得る。光学スタック１６に入射する光の一部分は光学スタック１６の部分反射層を透過し得、一部分は反射され、透明基板２０を通って戻ることになる。光学スタック１６を透過した光１３の部分は、可動反射層１４から反射され、透明基板２０に向かって（およびそれを通って）戻り得る。光学スタック１６の部分反射層から反射された光と可動反射層１４から反射された光との間の（強め合うおよび／または弱め合う）干渉が、デバイスの閲覧側または基板側のディスプレイ要素１２から反射される光１５の（１つまたは複数の）波長の強度を部分的に決定することになる。いくつかの実装形態では、透明基板２０は（ガラスプレートまたはパネルと呼ばれることがある）ガラス基板であり得る。ガラス基板は、たとえば、ホウケイ酸ガラス、ソーダ石灰ガラス、石英、パイレックス（登録商標）、または他の好適なガラス材料であるかまたはそれらを含み得る。いくつかの実装形態では、ガラス基板は、０．３、０．５または０．７ミリメートルの厚さを有し得るが、いくつかの実装形態では、ガラス基板は（数十ミリメートルなど）より厚いことも（０．３ミリメートル未満など）より薄いこともある。いくつかの実装形態では、ポリカーボネート、アクリル、ポリエチレンテレフタラート（ＰＥＴ）またはポリエーテルエーテルケトン（ＰＥＥＫ）基板など、非ガラス基板が使用され得る。そのような実装形態では、非ガラス基板は０．７ミリメートル未満の厚さを有する可能性があるが、基板は設計考慮事項に応じてより厚いことがある。いくつかの実装形態では、金属箔またはステンレス鋼ベースの基板など、不透明基板が使用され得る。たとえば、固定反射層と、部分に透過性で、部分的に反射性である可動層とを含む逆方向（reverse）ＩＭＯＤベースのディスプレイは、図１のディスプレイ要素１２として基板の反対側から閲覧されるように構成され得、不透明基板によってサポートされ得る。
【００３２】
[0044]  光学スタック１６は、単一の層、または複数の層を含むことができる。その（１つまたは複数の）層は、電極層と、部分反射および部分透過層と、透明な誘電体層とのうちの１つまたは複数を含むことができる。いくつかの実装形態では、光学スタック１６は、導電性、部分的に透明、および部分的に反射性であり、たとえば上記の層のうちの１つまたは複数を透明基板２０上に堆積させることによって、作製され得る。電極層は、たとえばインジウムスズ酸化物（ＩＴＯ）などの様々な金属など、様々な材料で形成され得る。部分反射層は、様々な金属（たとえば、クロムおよび／またはモリブデン）、半導体、および誘電体など、部分的に反射性である様々な材料から形成され得る。部分反射層は、材料の１つまたは複数の層から形成され得、それらの層の各々は、単一の材料または材料の組合せから形成され得る。いくつかの実装形態では、光学スタック１６のいくつかの部分は、部分光吸収体と電気導体の両方として働く、金属または半導体の単一の半透明の膜（thickness）を含むことができるが、（たとえば、光学スタック１６の、またはディスプレイ要素の他の構造の）異なる、電気的により伝導性の高い層または部分が、ＩＭＯＤディスプレイ要素間で信号をバスで運ぶ（bus）ように働くことができる。光学スタック１６は、１つまたは複数の導電層または電気伝導性／部分吸収層をカバーする、１つまたは複数の絶縁層または誘電体層をも含むことができる。
【００３３】
[0045]  いくつかの実装形態では、光学スタック１６の（１つまたは複数の）層の少なくともいくつかは、以下でさらに説明するように、平行ストリップにパターニングされ得、ディスプレイデバイスにおける行電極を形成し得る。当業者には理解されるように、本明細書で使用される「パターニングされた」という用語は、マスキングおよびエッチングプロセスを指す。いくつかの実装形態では、アルミニウム（Ａｌ）などの導電性および反射性の高い材料が、可動反射層１４に使用され得、これらのストリップが、ディスプレイデバイスの列電極を形成し得る。可動反射層１４は、（光学スタック１６の行電極に直交する）１つまたは複数の堆積された金属層の平行ストリップのシリーズとして形成されて、図示されたポスト１８など、支持体の上に堆積された列と、ポスト１８間に位置する介在する犠牲材料とを形成し得る。犠牲材料がエッチング除去されると、画定されたギャップ１９または光学キャビティが、可動反射層１４と光学スタック１６との間に形成され得る。いくつかの実装形態では、ポスト１８間の間隔は約１〜１０００μｍであり得、ギャップ１９は約１０，０００オングストローム（Å）未満であり得る。
【００３４】
[0046]  いくつかの実装形態では、各ＩＭＯＤディスプレイ要素は、作動状態にあろうと緩和状態にあろうと、固定反射層および可動反射層によって形成されるキャパシタと見なされ得る。電圧が印加されないとき、可動反射層１４は、図１中の左側のディスプレイ要素１２によって示されるように、機械的に緩和した状態にとどまり、可動反射層１４と光学スタック１６との間にギャップ１９がある。しかしながら、電位差、すなわち電圧が、選択された行および列のうちの少なくとも１つに印加されたとき、対応するディスプレイ要素における行電極と列電極との交差部に形成されたキャパシタは帯電し、静電力がそれらの電極を引き合わせる。印加電圧がしきい値を超える場合には、可動反射層１４は、変形し得、光学スタック１６の付近で、または光学スタック１６に接して、動き得る。光学スタック１６内の誘電体層（図示せず）が、図１中の右側の作動ディスプレイ要素１２によって示されるように、短絡を防ぎ、層１４と層１６との間の分離距離を制御し得る。その挙動は、印加電位差の極性にかかわらず同じであり得る。いくつかの事例ではアレイ中のディスプレイ要素のシリーズが「行」または「列」と呼ばれることがあるが、ある方向を「行」と呼び、別の方向を「列」と呼ぶことは恣意的であることを、当業者は容易に理解されよう。言い換えると、いくつかの配向では、行が列と見なされ得、列が行と見なされ得る。いくつかの実装形態では、行は「コモン」ラインと呼ばれることがあり、列は「セグメント」ラインと呼ばれることがあり、その逆も同様である。さらに、ディスプレイ要素は、直交する行および列で一様に配列され得る（「アレイ」）、またはたとえば互いに対して特定の位置オフセットを有する非線形構成で配列され得る（「モザイク」）。「アレイ」および「モザイク」という用語は、いずれかの構成を指し得る。したがって、ディスプレイは「アレイ」または「モザイク」を含むとして言及されるが、要素自体は、いずれの事例においても、互いに対して直交して配列される、または一様な分布で配置される必要はなく、非対称な形状および不均一に分布した要素を有する配列を含み得る。
【００３５】
[0047]  図２は、ＩＭＯＤディスプレイ要素の３×３要素アレイを含むＩＭＯＤ型ディスプレイを組み込む電子デバイスを示すシステムブロック図である。この電子デバイスは、１つまたは複数のソフトウェアモジュールを実行するように構成され得るプロセッサ２１を含む。オペレーティングシステムを実行することに加えて、プロセッサ２１は、ウェブブラウザ、電話アプリケーション、電子メールプログラム、または任意の他のソフトウェアアプリケーションを含む１つまたは複数のソフトウェアアプリケーションを実行するように構成され得る。
【００３６】
[0048]  プロセッサ２１は、アレイドライバ２２と通信するように構成され得る。アレイドライバ２２は、たとえばディスプレイアレイまたはパネル３０に、信号を与える行ドライバ回路２４と列ドライバ回路２６とを含むことができる。図１に示すＩＭＯＤディスプレイデバイスの断面は、図２では線１−１で示されている。図２は明快のためにＩＭＯＤディスプレイ要素の３×３アレイを示しているが、ディスプレイアレイ３０は、極めて多数のＩＭＯＤディスプレイ要素を含んでいることがあり、列におけるＩＭＯＤディスプレイ要素の数とは異なる数のＩＭＯＤディスプレイ要素を行において有し得、その逆も同様である。
【００３７】
[0049]  図３は、ＩＭＯＤディスプレイまたはディスプレイ要素のための製造プロセス８０を示す流れ図である。図４Ａ〜図４Ｅは、ＩＭＯＤディスプレイまたはディスプレイ要素を作製するための製造プロセス８０の様々な段階の断面図である。いくつかの実装形態では、製造プロセス８０は、ＩＭＯＤディスプレイまたはディスプレイ要素など、１つまたは複数のＥＭＳデバイスを製造するために実装され得る。そのようなＥＭＳデバイスの製造は、図３に示されていない他のブロックをも含むことができる。プロセス８０は、ブロック８２において、基板２０の上への光学スタック１６の形成から始まる。図４Ａは、基板２０の上に形成されるこのような光学スタック１６を示す図である。基板２０は、図１に関して上記で説明した材料など、ガラスまたはプラスチックなどの透明基板であり得る。基板２０は、フレキシブルであるかまたは比較的固く曲がらないことがあり、光学スタック１６の効率的な形成を可能にするために、洗浄などの事前準備プロセスにかけられていることがある。上記で説明したように、光学スタック１６は、電気伝導性であり、部分的に透明で、部分的に反射性で、部分的に吸収性であることがあり、たとえば、透明基板２０上に、所望の特性を有する１つまたは複数の層を堆積させることによって、作製され得る。
【００３８】
[0050]  図４Ａでは、光学スタック１６は、副層１６ａと１６ｂとを有する多層構造を含むが、いくつかの他の実装形態では、これより多い数、または少ない数の副層も含まれ得る。いくつかの実装形態では、副層１６ａおよび１６ｂのうちの１つは、組み合わせられた導体／吸収体副層１６ａなど、光吸収特性と電気伝導特性の両方で構成され得る。いくつかの実装形態では、副層１６ａおよび１６ｂの一方は、モリブデンクロム（モリクロム（molychrome）またはＭｏＣｒ）、または好適な複素屈折率をもつ他の材料を含むことができる。さらに、副層１６ａおよび１６ｂのうちの１つまたは複数は、平行ストリップにパターニングされ得、ディスプレイデバイスにおける行電極を形成し得る。そのようなパターニングは、マスキングおよびエッチングプロセス、または当技術分野で既知の別の適当なプロセスによって実行され得る。いくつかの実装形態では、副層１６ａおよび１６ｂのうちの１つは、下にある１つまたは複数の金属層および／または酸化物層（１つまたは複数の反射層および／または導電層など）の上に堆積された上側の副層１６ｂなど、絶縁層または誘電体層であり得る。さらに、光学スタック１６は、ディスプレイの行を形成する個別の平行なストリップにパターニングされ得る。図４Ａ〜図４Ｅでは、副層１６ａおよび１６ｂは、ある程度厚く示してあるが、いくつかの実装形態では、光吸収層など、光学スタックの副層のうちの少なくとも１つは、（たとえば本開示に示す他の層に対して）かなり薄くなり得る。
【００３９】
[0051]  プロセス８０はブロック８４に進み、光学スタック１６の上に犠牲層２５を形成する。犠牲層２５は、キャビティ１９を形成するために後で除去される（ブロック９０参照）ので、犠牲層２５は、得られたＩＭＯＤディスプレイ要素には示されていない。図４Ｂは、光学スタック１６の上に形成された犠牲層２５を含む、部分的に作製されたデバイスを示す図である。光学スタック１６の上の犠牲層２５の形成は、その後に除去した後で、所望の設計サイズを有するギャップまたはキャビティ１９（図４Ｅ参照）をもたらすように選択された厚さで、モリブデン（Ｍｏ）またはアモルファスシリコン（Ｓｉ）など、二フッ化キセノン（ＸｅＦ2）でエッチング可能な材料の体積を含み得る。犠牲材料の堆積は、物理蒸着（スパッタリングなど、多くの異なる技法を含むＰＶＤ）、プラズマ強化化学蒸着（ＰＥＣＶＤ）、熱化学蒸着（熱ＣＶＤ）、またはスピンコーティングなど、堆積技法を使用して行われ得る。
【００４０】
[0052]  プロセス８０は、ブロック８６において、支持ポスト１８などの支持構造の形成を続ける。支持ポスト１８の形成は、支持構造開口（aperture）を形成するために犠牲層２５をパターニングすることと、次いで、ＰＶＤ、ＰＥＣＶＤ、熱ＣＶＤ、またはスピンコーティングなど、堆積方法を使用して、支持ポスト１８を形成するために開口中に（酸化ケイ素のような、ポリマーまたは無機材料などの）材料を堆積させることとを含み得る。いくつかの実装形態では、犠牲層中に形成された支持構造開口は、支持ポスト１８の下側端部が基板２０に接触するように、犠牲層２５と光学スタック１６の両方を通って、下にある基板２０まで延在することができる。あるいは、図４Ｃに示すように、犠牲層２５に形成された開口は、犠牲層２５の中には延びるが、光学スタック１６の中には延びないようにすることもできる。たとえば、図４Ｅは、光学スタック１６の上側表面と接触する支持ポスト１８の下側端部を示す。支持ポスト１８、または他の支持構造は、犠牲層２５の上に支持構造材料の層を堆積させることと、犠牲層２５中の開口から離れて配置された支持構造材料の部分をパターニングすることとによって形成され得る。支持構造は、図４Ｃに示すように開口内に位置づけられ得るが、少なくとも犠牲層２５の一部分の上に延びることもできる。上述のように、犠牲層２５および／または支持ポスト１８のパターニングは、マスキングおよびエッチングプロセスによって実行され得るが、代替パターニング方法によっても実行され得る。
【００４１】
[0053]  プロセス８０はブロック８８に進み、図４４に示す可動反射層１４など、可動反射層または膜を形成する。可動反射層１４は、１つまたは複数のパターニング、マスキングおよび／またはエッチングステップとともに、たとえば、（アルミニウム、アルミニウム合金、または他の反射性材料などの）反射層堆積を含む１つまたは複数の堆積ステップを採用することによって形成され得る。可動反射層１４は、たとえば、ディスプレイの列を形成する個々の平行ストリップにパターニングされ得る。可動反射層１４は、電気伝導性であり、電気伝導性層と呼ばれることがある。いくつかの実装形態では、可動反射層１４は、図４Ｄに示すように、複数の副層１４ａ、１４ｂ、および１４ｃを含み得る。いくつかの実装形態では、副層１４ａおよび１４ｃなど、副層のうちの１つまたは複数は、それらの光学的特性のために選択された高反射性副層を含み得、別の副層１４ｂは、それの機械的特性のために選択された機械的副層を含み得る。いくつかの実装形態では、機械的副層は誘電体材料を含み得る。犠牲層２５は、ブロック８８において形成された部分的に作製されたＩＭＯＤディスプレイ要素中に依然として存在するので、可動反射層１４は、一般にこの段階では可動でない。犠牲層２５を含んでいる部分的に作製されたＩＭＯＤディスプレイ要素を、本明細書では「非開放（unreleased）」ＩＭＯＤと呼ぶこともある。
【００４２】
[0054]  プロセス８０は、ブロック９０において、キャビティ１９の形成を続ける。キャビティ１９は、（ブロック８４で堆積された）犠牲層２５をエッチング液に曝すことによって形成され得る。たとえば、ＭｏまたはアモルファスＳｉなど、エッチング可能な犠牲材料は、犠牲層２５を、固体のＸｅＦ2から導出された蒸気など気体または蒸気のエッチング液に、所望の量の材料を除去するのに有効な時間期間だけ曝すことによって、ドライ化学エッチングで除去され得る。犠牲材料は、通常は、キャビティ１９の周囲の構造に対して選択的に除去される。ウェットエッチングおよび／またはプラズマエッチングなど、他のエッチング方法も使用され得る。犠牲層２５は、ブロック９０の間に除去されるので、可動反射層１４は、通常はこの段階の後で可動になる。犠牲材料２５の除去後に、得られた完全にまたは部分的に作製されたＩＭＯＤディスプレイ要素を、本明細書では「開放」ＩＭＯＤと呼ぶことがある。
【００４３】
[0055]  いくつかの実装形態では、ＩＭＯＤベースのディスプレイなど、ＥＭＳ構成要素またはデバイスのパッケージングは、（機械的干渉または潜在的に損害を与える物質からなど）損傷からＥＭＳ構成要素を保護するように構成され得るバックプレート（代替的にバックプレーン、バックガラスまたは凹形ガラスと呼ばれる）を含むことができる。バックプレートはまた、限定はしないが、ドライバ回路、プロセッサ、メモリ、相互接続アレイ、蒸気バリヤ、製品ハウジングなどを含む広範囲の構成要素のための構造的支持を与えることができる。いくつかの実装形態では、バックプレートの使用は、構成要素の統合を可能にし、それによってポータブル電子デバイスの体積、重量、および／または製造コストを低減することができる。
【００４４】
[0056]  図５Ａおよび図５Ｂは、ＥＭＳ要素のアレイ３６とバックプレート９２とを含むＥＭＳパッケージ９１の一部分の概略展開部分斜視図である。図５Ａは、バックプレート９２の特定の部分をより良好に示すためにバックプレート９２の２つの角部が切り取られた状態で示してあり、図５Ｂは、これらの角部が切り取られていない状態で示してある。ＥＭＳアレイ３６は、基板２０と、支持ポスト１８と、可動層１４とを含むことができる。いくつかの実装形態では、ＥＭＳアレイ３６は、透明基板上に１つまたは複数の光学スタック部分１６を備えるＩＭＯＤディスプレイ要素のアレイを含むことができ、可動層１４は、可動反射層として実装され得る。
【００４５】
[0057]  バックプレート９２は、基本的に平面状にすることもできるし、あるいは少なくとも１つの輪郭を有する表面を有することもできる（たとえば、バックプレート９２は、凹部および／または突部を有するように形成され得る）。バックプレート９２は、透明でも不透明でも、導電性でも絶縁性でも、任意の適当な材料で構成され得る。バックプレート９２に適した材料は、限定されないが、ガラス、プラスチック、セラミック、ポリマー、積層体、金属、金属箔、コバール、およびめっきされたコバールを含む。
【００４６】
[0058]  図５Ａおよび図５Ｂに示すように、バックプレート９２は、部分的に、または完全にバックプレート９２に埋め込まれ得る、１つまたは複数のバックプレート構成要素９４ａおよび９４ｂを含むことができる。図５Ａからわかるように、バックプレート構成要素９４ａは、バックプレート９２に埋め込まれる。図５Ａおよび図５Ｂからわかるように、バックプレート構成要素９４ｂは、バックプレート９２の表面に形成された凹部９３内に配置される。いくつかの実装形態では、バックプレート構成要素９４ａおよび／または９４ｂは、バックプレート９２の表面から突出していてもよい。バックプレート構成要素９４ｂはバックプレート９２の基板２０に向いている側に配置されているが、他の実装形態では、バックプレート構成要素は、バックプレート９２の反対側に配置され得る。
【００４７】
[0059]  バックプレート構成要素９４ａおよび／または９４ｂは、トランジスタ、キャパシタ、インダクタ、抵抗器、ダイオード、スイッチ、および／あるいはパッケージ化、標準、または個別ＩＣなどの集積回路（ＩＣ）など、１つまたは複数の能動または受動の電気的構成要素を含むことができる。様々な実装形態で使用され得るバックプレート構成要素の他の例は、アンテナ、バッテリ、および電気的センサ、タッチセンサ、光学センサ、または化学的センサ、あるいは薄膜堆積デバイスなどのセンサを含む。
【００４８】
[0060]  いくつかの実装形態では、バックプレート構成要素９４ａおよび／または９４ｂは、ＥＭＳアレイ３６の一部分と電気通信することができる。トレース、バンプ、ポスト、またはバイアなどの導電性構造が、バックプレート９２または基板２０の一方または両方に形成され得、ＥＭＳアレイ３６とバックプレート構成要素９４ａおよび／または９４ｂとの間の電気的接続を形成するために、互いに、または他の導電性構成要素と接触し得る。たとえば、図５Ｂは、ＥＭＳアレイ３６内で可動層１４から上方に延びる電気接点９８と整列され得るバックプレート９２の１つまたは複数の導電性バイア９６を含む。いくつかの実装形態では、バックプレート９２は、バックプレート構成要素９４ａおよび／または９４ｂをＥＭＳアレイ３６の他の構成要素から電気的に絶縁する１つまたは複数の絶縁層も含むことができる。バックプレート９２が透湿性材料で形成されるいくつかの実装形態では、バックプレート９２の内部表面は、蒸気バリヤ（図示せず）でコーティングされ得る。
【００４９】
[0061]  バックプレート構成要素９４ａおよび９４ｂは、ＥＭＳパッケージ９１に侵入し得る任意の湿気を吸収するように作用する１つまたは複数の乾燥剤を含むことができる。いくつかの実装形態では、乾燥剤（またはゲッタなど他の湿気吸収材料）は、たとえば接着剤でバックプレート９２（またはそこに形成された凹部の中）に取り付けられるシートとして、任意の他のバックプレート構成要素から分離して設けられ得る。あるいは、乾燥剤は、バックプレート９２に一体化され得る。いくつかの実装形態では、乾燥剤は、たとえばスプレーコーティング、スクリーン印刷、または任意の他の適当な方法によって、他のバックプレート構成要素の上に、直接または間接的に塗布され得る。
【００５０】
[0062]  いくつかの実装形態では、ＥＭＳアレイ３６および／またはバックプレート９２は、バックプレート構成要素とディスプレイ要素との間の距離を維持し、それによりそれらの構成要素の間の機械的干渉を防止するために機械的隔離碍子９７を含むことができる。図５Ａおよび図５Ｂに示す実装形態では、機械的隔離碍子９７は、ＥＭＳアレイ３６の支持ポスト１８と位置合わせされてバックプレート９２から突出するポストとして形成される。別法として、またはこれに加えて、レールまたはポストなどの機械的隔離碍子は、ＥＭＳパッケージ９１の縁部に沿って設けられ得る。
【００５１】
[0063]  図５Ａおよび図５Ｂには示されていないが、ＥＭＳアレイ３６を部分的または完全に取り囲むシールが、設けられ得る。バックプレート９２および基板２０とともに、シールは、ＥＭＳアレイ３６を取り囲む保護キャビティを形成することができる。シールは、従来のエポキシ系接着剤など、半密閉シールであってもよい。いくつかの他の実装形態では、シールは、薄膜金属溶接またはガラスフリットなど、密閉シールであってもよい。いくつかの他の実装形態では、シールは、ポリイソブチレン（ＰＩＢ）、ポリウレタン、液体塗布ガラス、はんだ、ポリマー、プラスチック、または他の材料を含み得る。いくつかの実装形態では、機械的隔離碍子を形成するために補強シーラントが使用され得る。
【００５２】
[0064]  代替の実装形態では、シールリングが、バックプレート９２または基板２０の一方または両方のいずれかの延長部を含み得る。たとえば、シールリングは、バックプレート９２の機械的延長部（図示せず）を含み得る。いくつかの実装形態では、シールリングは、Ｏリングまたは他の環状部材など、別個の部材を含み得る。
【００５３】
[0065]  いくつかの実装形態では、ＥＭＳアレイ３６とバックプレート９２は、互いに取り付けられる、または結合される前に、別々に形成される。たとえば、上述のように、基板２０の縁部は、バックプレート９２の縁部に取り付けられ、密封され得る。あるいは、ＥＭＳアレイ３６およびバックプレート９２は、ＥＭＳパッケージ９１として形成され、一体化され得る。いくつかの他の実装形態では、ＥＭＳパッケージ９１は、バックプレート９２の構成要素を堆積によってＥＭＳアレイ３６の上に形成するなど、任意の他の適当な方法で作製され得る。
【００５４】
[0066]  図６Ａ〜図６Ｅは、どのようにして多状態ＩＭＯＤ（ＭＳ−ＩＭＯＤ）が様々な色を生成するように構成され得るかの例を示す図である。上述のように、アナログＩＭＯＤ（Ａ−ＩＭＯＤ）は、より広範なクラスのＭＳ−ＩＭＯＤの例であると見なされる。
【００５５】
[0067]  ＭＳ−ＩＭＯＤでは、吸収体スタックと反射体スタックとの間のギャップ高さを変化させることによって、ピクセルの反射色は変化させられ得る。図６Ａ〜図６Ｅでは、ＭＳ−ＩＭＯＤ６００は、反射体スタック６０５と吸収体スタック６１０とを含む。この実装形態では、吸収体スタック６１０は、部分的に反射性であり、部分的に吸収性である。ここで、反射体スタック６０５は、本明細書では鏡面または金属鏡と呼ばれることもある少なくとも１つの金属反射層を含む。
【００５６】
[0068]  いくつかの実装形態では、吸収体層は、部分的に吸収性および部分的に反射性の層で形成され得る。吸収体層は、１つまたは複数の誘電体層、電極層など、他の層を含む、吸収体スタックの一部であり得る。いくつかのそのような実装形態によれば、吸収体スタックは、誘電体層と、金属層と、パッシベーション層とを含み得る。いくつかの実装形態では、誘電体層は、ＳｉＯ2、ＳｉＯＮ、ＭｇＦ2、Ａｌ2Ｏ3、および／または他の誘電体材料で形成され得る。いくつかの実装形態では、金属層は、Ｃｒ、Ｗ、Ｎｉ、Ｖ、Ｔｉ、Ｒｈ、Ｐｔ、Ｇｅ、Ｃｏ、および／またはＭｏＣｒで形成され得る。いくつかの実装形態では、パッシベーション層は、Ａｌ2Ｏ3、または別の誘電体材料を含み得る。
【００５７】
[0069]  鏡面は、たとえば、Ａｌ、銀などの反射性金属で形成され得る。鏡面は、１つまたは複数の誘電体層など、他の層を含む反射体スタックの一部であり得る。そのような誘電体層は、ＴｉＯ2、Ｓｉ3Ｎ4、ＺｒＯ2、Ｔａ2Ｏ5、Ｓｂ2Ｏ3、ＨｆＯ2、Ｓｃ2Ｏ3、Ｉｎ2Ｏ3、Ｓｎ：Ｉｎ2Ｏ3、ＳｉＯ2、ＳｉＯＮ、ＭｇＦ2、Ａｌ2Ｏ3、ＨｆＦ4、ＹｂＦ3、ＮＡ3ＡｌＦ6、および／または他の誘電体材料で形成され得る。
【００５８】
[0070]  図６Ａ〜図６Ｅでは、反射体スタック６０５は、吸収耐スタック６１０に対する５つの位置に示されている。しかしながら、ＭＳ−ＩＭＯＤ６００は、反射体スタック６０５に対して実質的に５箇所を超える位置の間で可動となり得る。たとえば、いくつかのＡ−ＩＭＯＤ実装形態では、反射体スタック６０５と吸収体スタック６１０との間のギャップ高さ６３０は、実質的に連続的に変化させられ得る。いくつかのそのようなＭＳ−ＩＭＯＤ６００では、ギャップ高さ６３０は、たとえば誤差が１０ｎｍ以下など、高い精度レベルで制御され得る。この例では、吸収体スタック６１０は単一の吸収体層を含むが、吸収体スタック６１０の代替実装形態は、複数の吸収体層を含み得る。さらに、代替の実装形態では、吸収体スタック６１０は、部分的に反射性ではないこともある。
【００５９】
[0071]  波長λを有する入射波は、反射体スタック６０５からのそれ自体の反射と干渉して、局所的な腹および局所的な節を有する定常波を生じる。第１の節は、鏡からλ／２のところにあり、後続の節は、λ／２の間隔で位置する。この波長では、節位置のうちの１つに配置された薄い吸収体層は、極めてわずかなエネルギーを吸収する。
【００６０】
[0072]  最初に図６Ａを参照すると、ギャップ高さ６３０が赤色波長光６２５（赤色とも呼ばれる）の半波長と実質的に等しいときには、吸収体スタック６１０は、赤色定常波干渉縞の節に位置決めされる。吸収体のところに赤色光がほとんどないので、赤色波長光６２５の吸収はほぼゼロである。この構成では、吸収体スタック６１０から反射される赤色波長光と反射体スタック６０５から反射される赤色波長光との間に、強め合う干渉が生じる。したがって、赤色波長光６２５に実質的に対応する波長を有する光は、効率的に反射される。青色波長光６１５および緑色波長光６２０を含む他の色の光は、吸収体において高い強度の場を有し、強め合う干渉によって補強されない。その代わりに、そのような光は、吸収体スタック６１０によって実質的に吸収される。
【００６１】
[0073]  図６Ｂは、反射体スタック６０５が吸収体スタック６１０に近づけられた（またはその逆）構成のＭＳ−ＩＭＯＤ６００を示す図である。この例では、ギャップ高さ６３０は、緑色波長光６２０の半波長と実質的に等しい。吸収体スタック６１０は、緑色定常波干渉縞の節に位置決めされる。吸収体のところに緑色光がほとんどないので、緑色波長光６２０の吸収はほぼゼロである。この構成では、吸収体スタック６１０から反射される緑色波長光と反射体スタック６０５から反射される緑色波長光との間に、強め合う干渉が生じる。緑色波長光６２０に実質的に対応する波長を有する光は、効率的に反射される。赤色波長光６２５および青色波長光６１５を含む他の色の光は、吸収体スタック６１０によって実質的に吸収される。
【００６２】
[0074]  図６Ｃでは、反射体スタック６０５が、吸収体スタック６１０に近づけられている（またはその逆）ので、ギャップ高さ６３０は、青色波長光６１５の半波長と実質的に等しい。青色波長光６１５に実質的に対応する波長を有する光は、効率的に反射される。赤色波長光６２５および緑色波長光６２０を含む他の色の光は、吸収体スタック６１０によって実質的に吸収される。
【００６３】
[0075]  しかしながら、図６Ｄでは、ＭＳ−ＩＭＯＤ６００は、ギャップ高さ６３０が可視範囲の平均色の波長の１／４と実質的に等しい構成である。そのような配列では、吸収体は、干渉定常波の強度ピーク付近に位置するので、高い場の強度、および吸収体スタック６１０と反射体スタック６０５との間の弱め合う干渉による強い吸収によって、比較的少ない可視光がＭＳ−ＩＭＯＤ６００から反射される。この構成は、本明細書では「黒状態」と呼ばれることもある。いくつかのそのような実装形態では、可視範囲の外側の他の波長を補強するために、ギャップ高さ６３０が、図６Ｄに示すより大きく、または小さくされることもあり得る。したがって、図６Ｄに示すＭＳ−ＩＭＯＤ６００の構成は、ＭＳ−ＩＭＯＤ６００の黒状態構成の単なる一例を与えるものである。
【００６４】
[0076]  図６Ｅは、吸収体スタック６１０が反射体スタック６０５に非常に近接している構成のＭＳ−ＩＭＯＤ６００を示す図である。この例では、吸収体スタック６１０が反射体スタック６０５に実質的に隣接しているので、ギャップ高さ６３０は無視できる。広い範囲の波長を有する光が、有意な程度に吸収体スタック６１０に吸収されることなく、反射体スタック６０５から効率的に反射される。この構成は、本明細書では、「白状態」と呼ばれることもある。ただし、いくつかの実装形態では、２つの層が互いに接近したときに生成され得る強い電界による帯電によって引き起こされるスティクションを低減するために、吸収体スタック６１０と反射体スタック６０５とが引き離されることもある。いくつかの実装形態では、合計の厚さが約λ／２の１つまたは複数の誘電体層が、吸収体層の表面および／または鏡面上に配置され得る。したがって、白状態は、吸収体が反射体スタック６０５の鏡面から定常波の最初の節のところに配置された構成に対応し得る。
【００６５】
[0077]  Ａ−ＩＭＯＤなど、いくつかのＭＳ−ＩＭＯＤが、多数のギャップ高さに実質的に連続的に位置決めされ得る。ただし、他のＭＳ−ＩＭＯＤは、少数のギャップ高さにしか位置決めされ得ない。いくつかは、赤、緑、青、黒、および白の原色に対応するギャップ高さに位置決めされ得る５状態ＭＳ−ＩＭＯＤであり得る。（本明細書で使用される「原色」または「プライマリ」という用語は、赤、緑、および青のみでなく、黒および白を含む、ＭＳ−ＩＭＯＤの位置に対応する他の色のうちのいずれかも含み得る。）いくつかのＭＳ−ＩＭＯＤは、黄、橙、紫、シアン、および／またはマゼンタなど、他の色に対応するギャップ高さにも構成され得る。他のＭＳ−ＩＭＯＤは、８個以上のギャップ高さ、１０個以上のギャップ高さ、１６個以上のギャップ高さ、２０個以上のギャップ高さ、３２個以上のギャップ高さなどにも位置決めされ得る。
【００６６】
[0078]  しかしながら、いくつかのＭＳ−ＩＭＯＤは、何らかのタイプの時間的または空間的変調方法を適用せずに許容可能なレンダリング可能な色のセット（「色パレット」）を生成するために、十分に大きな数のギャップ高さに位置決めされないこともある。時間的および空間的変調方法は、原色と、それらの原色の中間の複数の色とを含む色パレットを生成することができる。時間的変調は、より大きなパレットにつながるプライマリの組合せを形成するために利用され得る。入力された画像の色がパレットの色のいずれにも対応しないときには、この色を近似するために、時間的変調に加えて、空間的変調が使用され得る。
【００６７】
[0079]  空間的変調および時間的変調は、それぞれ欠点を有する。詳細には、空間的ディザリングは、隣接するピクセルの（たとえば隣接するＭＳ−ＩＭＯＤの）色が結合されるので、画像解像度の低下につながる。時間的変調は、適用される空間的変調の量を低減するのに役立つが、ＭＳ−ＩＭＯＤ上に実装され得る時間的スロットの数が限られているので、色パレット中のレンダリング可能な色の数が制限される。
【００６８】
[0080]  時間的変調方法は、一般に、ピクセルが所与の色を表示する時間の長さを変調することによって、見る人によって知覚される平均化された色を生成するために色を急速に変化させるために人間の目が行う平均化を活用することを含む。たとえば、特定の青の色相を表示することができるピクセルは、そのピクセルが本来生成することができる色相より暗く知覚される青の色相を生成することができ得る。これは、フレームが表示されている時間の特定の一部分にわたって青を表示し、そのフレームが表示されている時間の残りにわたって黒を表示することによって行われ得る。あるピクセルが表示する色をピクセルレベルで時間（時間的）変調することにより、見る人は、それらのピクセルが本来表示することができる色より多数の色を知覚することができる。本明細書に記載される時間的変調方法は、各々の持続時間があらかじめ決定されている固定数の時間スロットの間に所定数の色のうちの１つまたは複数を生成するためにディスプレイのピクセルまたはサブピクセルを制御することを必然的に伴う可能性がある。時間的変調方法の一例によれば、時間スロットの持続時間には、バイナリ重み付けが与えられ得、時間スロットの持続時間は、１／２の比
【数１】
2016516210.tif 000003
【００６９】
に従って幾何学的に重み付けされ得る。たとえば、時間的変調方法は、次のように、４つのバイナリ重み付け時間スロットを含むこともできる。
【数２】
2016516210.tif 000004
【００７０】
他の時間的変調方法は、これより多い、または少ない時間スロットも含み得、異なる比も含み得る。これらの比は、合計すると、画像データのフレームの持続時間に対応する１になる。フレームの持続時間は、フリッカなどのアーチファクトの導入を防止するように選択され得る。いくつかの実装形態では、フレームの持続時間は、１／６０秒程度となり得る。括弧内の数字の各々は、画像データのフレームの一部に対応する時間の単位である「時間スロット」を指す。
【００７１】
[0081]  たとえば、少なくとも赤、黒および白の３つの原色を提供することができるＭＳ−ＩＭＯＤでは、時間スロットの割当ての１つの選択肢は、次のようになり得る。
【数３】
2016516210.tif 000005
【００７２】
[0082]  これは、このＭＳ−ＩＭＯＤが、フレーム持続時間の
【数４】
2016516210.tif 000006
【００７３】
にわたって赤状態に対応するギャップ高さで位置決めされ、フレーム持続時間の
【数５】
2016516210.tif 000007
【００７４】
にわたって黒状態に対応するギャップ高さで位置決めされ、フレーム持続時間の
【数６】
2016516210.tif 000008
【００７５】
にわたって白状態に対応するギャップ高さで位置決めされることを意味する。
【００７６】
[0083]  前述したものは、単なる一例である。ディスプレイデバイスのＭＳ−ＩＭＯＤは、色パレットの所望の色を生成するために必要とされるＭＳ−ＩＭＯＤの位置と時間スロットとの組合せに応じて、１つのデータフレーム全体にわたって１つの構成で位置決めされてもよいし、１つのデータフレームの間にいくつかの異なる位置に位置決めされてもよい。
【００７７】
[0084]  図７Ａは、４つのバイナリ重み付け時間スロットに対応する３つの原色の色パレットを示す図である。図７Ａでは、３つの原色は、三角形の３つの頂点に対応する。たとえば、３つの原色が赤、青、および黒である場合には、縦軸が赤に対応し、横軸が青に対応し得る。
【００７８】
[0085]  各軸に沿った値は、原色の時間スロットに対応する。各軸の最大値は、１つの画像データのフレーム全体に対応する時間である時間スロット「１」の場合のその色に対応するギャップ高さに位置決めされたＭＳ−ＩＭＯＤに対応する、１である。この例では、縦軸の値１は、ＭＳ−ＩＭＯＤが、フレーム全体の場合の赤色に対応するギャップ高さに位置決めされることに対応する。
【００７９】
[0086]  他の色パレット値７０５は、十進形式で表される時間スロット
【数７】
2016516210.tif 000009
【００８０】
および
【数８】
2016516210.tif 000010
【００８１】
の他の組合せに対応する。たとえば、線７０７ａに沿った色パレット値７０５は、フレームの
【数９】
2016516210.tif 000011
【００８２】
の時間スロットにわたってＭＳ−ＩＭＯＤを赤状態に構成しながら、ＭＳ−ＩＭＯＤが青状態に構成される時間スロットを（色パレット値７０５ａにおける）ゼロから（色パレット値７０５ｂにおける）フレームの
【数１０】
2016516210.tif 000012
【００８３】
まで変化させることに対応する。
【００８４】
[0087]  この例では、フレームの残りの部分があれば、その間、ＭＳ−ＩＭＯＤは黒状態に構成される。たとえば、色パレット値７０５ａにおいては、ＭＳ−ＩＭＯＤは、フレームの
【数１１】
2016516210.tif 000013
【００８５】
にわたって赤状態に構成され、フレームの
【数１２】
2016516210.tif 000014
【００８６】
にわたって黒状態に構成される。色パレット値７０５ｂにおいては、ＭＳ−ＩＭＯＤは、フレームの
【数１３】
2016516210.tif 000015
【００８７】
にわたって赤状態に構成され、フレームの
【数１４】
2016516210.tif 000016
【００８８】
にわたって青状態に構成される。フレーム中に、ＭＳ−ＩＭＯＤが黒状態に構成される残りの時間はない。
【００８９】
[0088]  図７Ａに示すように、この時間スロットのセットを使用して形成された色パレット７００ａは、矢印７１０ａで示されるボイドなどのホールまたはボイドを含む。以前の実装形態では、そのようなホールは、所望の色出力をより良好に近似するために空間的ディザリングが使用されることを意味した可能性がある。空間的ディザリングは、ディスプレイ中ではディザアーチファクトとして見えるこれらのボイド内に位置する色をレンダリングするときに有意な定量化誤差を引き起こす恐れがある。これらのボイド内に位置する特定の色のセットは、選ばれたプライマリによって決まるが、ＭＳ−ＩＭＯＤに関する発明者等の実験は、たとえば、皮膚色調色は、図７Ａに示すボイドなどのボイド内に位置し得ることを明らかにした。人間は、皮膚色調がどのようにレンダリングされるかということに対して特に敏感になる傾向がある。したがって、対応するバイナリ時間的変調方法（時間スロットの持続時間が比１／２
【数１５】
2016516210.tif 000017
【００９０】
に従って幾何学的に重み付けされる）を使用することにより、皮膚色調を含む画像をレンダリングするときに有意なディザアーチファクトを生成し得る。これらのアーチファクトは、見る人には容易に明白になり得る。
【００９１】
[0089]  図７Ｂは、４つの時間スロットと異なる比とに対応する３つの原色の代替の色パレットを示す図である。この例では、比は、２／３である（
【数１６】
2016516210.tif 000018
【００９２】
）。４つの時間スロットは、次の通りである。
【数１７】
2016516210.tif 000019
【００９３】
[0090]  色パレット７００ａとは異なり、色パレット７００ｂは、大きな中央ボイドを有さない。さらに、色パレット値７０５の分布は、一般に、色パレット７００ａより色パレット７００ｂの方がより均一である。しかしながら、色パレット７００ｂは、矢印７１０ｂ、７１０ｃ、および７１０ｄで示すように、原色の付近により多くの空領域を含む。言い換えれば、比ｒ＝１／２を有する時間スロットは、色パレットの内部では色（たとえば、皮膚色調色）を良好にレンダリングしないが、比ｒ＝２／３を有する時間スロットよりは良好に、プライマリの付近で色（たとえば、黒または赤）をレンダリングする。
【００９４】
[0091]  この観察は、任意の所与の画像データのフレームについて、そのフレーム中で全体としてより正確に色をレンダリングする（時間スロットの選択に対応する）時間的変調方法があることを示唆する。画像データを解析し、その画像解析に基づいて時間的変調方法を適応的に選ぶことにより、画像（１つまたは複数）中のディザの可視性を有意に低減し得る。
【００９５】
[0092]  図８は、２つの画像の画像色域分布を示すグラフである。図８を参照すると、「画像色域」は、所与の時間における画像内の色のセット（ＣＩＥＬＡＢ色空間で示される）である。値８０５は、青い空に浮かぶ明るい色の高温のエアバルーンの画像に対応する。バルーンは、赤、橙、黄、緑、青、および紫の四角形で構成される。値８１０は、暗い背景の中で黒い服を着て赤い椅子に座っている女の人の画像に対応する。
【００９６】
[0093]  値８０５および８１０は、ＣＩＥＬＡＢ色空間の様々な領域でクラスタ化する傾向がある。値８０５は、領域８１５、８２０、および８２５に集中しているが、領域８３０および８３５では集中の度合いが低い。値８１０は、主に領域８４０でクラスタ化している。値８１０のうちの一部は、値８０５とともに領域８２０の中に延びているが、これら２つの画像の画像色域分布は、このＣＩＥＬＡＢ色空間の特徴的な領域を占めている。図７Ａおよび図７Ｂを参照して上述したように、いくつかの時間的変調方法は、他の時間的変調方法より正確に、ＣＩＥＬＡＢ色空間のこれらの領域内で色をレンダリングする。したがって、より正確な画像のレンダリングを可能にするために、画像色域分布は、時間的変調方法にマッピングされ得る（またはその逆があり得る）。
【００９７】
[0094]  いくつかの実装形態によれば、装置は、１つまたは複数の入力画像データフレームの画像色域分布を解析するように構成された制御システムを含み得る。１つのそのような装置について、次に、図９を参照して説明する。
【００９８】
[0095]  図９は、制御システムと、ピクセルのアレイとを含む装置のブロック図である。装置９００は、たとえば、図１２Ａおよび図１２Ｂを参照して以下で説明するディスプレイデバイス４０などのディスプレイデバイスであり得る。この例では、装置９００は、制御システム９０５と、ピクセルアレイ９１０とを含む。ピクセルアレイ９１０は、各々が黒を含む複数の原色を生成するように構成され得る複数のピクセルを含む。ピクセルは、たとえば、ＭＳ−ＩＭＯＤであり得る。
【００９９】
[0096]  制御システム９０５は、汎用シングルチップまたはマルチチッププロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、および／あるいは個別ハードウェア構成要素を含み得る。制御システム９０５は、画像データを受信し、画像解析データを生成するためにその画像データを解析するように構成され得る。制御システム９０５は、画像解析データに従って時間的変調方法を選択するように構成され得る。
【０１００】
[0097]  解析プロセスは、個々の実装形態に応じて実質的に異なり得る。いくつかの実装形態では、解析プロセスは、画像色域データを解析することを含み得る。図８の画像色域分布を再度参照すると、そのようなデータは、いくつかの異なる方法で特徴付けおよび／または解析され得ることが理解されるであろう。たとえば、解析プロセスは、画像データの画像色域分布を決定することと、画像色域データボリュームを生成するためにその画像色域分布をサンプリングすることを含み得る。
【０１０１】
[0098]  選択プロセスは、画像色域データボリュームを複数の色パレットデータボリュームと比較することを含み得る。これらの色パレットデータボリュームの各々は、時間的変調方法に対応し得る。可能な時間的時間スロットの選択肢の中から選択する１つの方法は、各画像ピクセル色についてＣＩＥＬＡＢ空間内の定量化誤差を計算するものである。ＣＩＥＬＡＢ空間は、ｓＲＧＢ空間とは異なり、一般に、知覚的に均一な色空間となる。異なる時間的変調方法は、異なる色パレットを生じ、異なる定量化誤差のセットをもたらす。特定の時間的スロットの持続時間の選択肢が、この定量化誤差のセットの平均値または中央値を最小にするように選ばれ得る。さらに、検索の計算コストを低減するために、すべての画像ピクセル色を考慮する代わりに、画像データのより小さなサンプルが選択され得る。より一般的には、ＣＩＥＬＡＢ空間中の入力画像色のサンプルの定量化誤差の分布を考慮することによって、可能な時間スロットの空間中の検索は、全体的な定量化誤差が最小となり、したがってディザアーチファクトが最小となる特定の選択肢を生じることになる。
【０１０２】
[0099]  画像色域データボリュームを色パレットデータボリュームと比較するための代替の方法も使用され得る。たとえば、いくつかの方法は、画像の内容の知覚解析を含み得る。いくつかのそのような方法は、既知である。たとえば、画像の少なくとも一部の特徴を特徴付けるために、（２００２年に米国スコッツデールで開催された第１０回ＩＳ＆Ｔ／ＳＩＤ  Ｃｏｌｏｒ  Ｉｍａｇｉｎｇ  Ｃｏｎｆｅｒｅｎｃｅにおいて発表された、Ｍａｒｋ  Ｄ．ＦａｉｒｃｈｉｌｄおよびＧａｒｒｅｔｔ  Ｍ．Ｊｏｈｎｓｏｎによって開発された）ｉＣＡＭなどのカラーアピアランスモデルが使用され得る。
【０１０３】
[00100]  なお、以前の例では一定の比（たとえば
【数１８】
2016516210.tif 000020
【０１０４】
または
【数１９】
2016516210.tif 000021
【０１０５】
）となる時間的時間スロットしか考慮していなかったが、一般に、各時間スロット持続時間は、残りの部分から独立して選ばれ得ることに留意されたい。たとえば、等比数列に従わない可能な時間スロットの空間中の１回の選択肢は、［０．１、０．２、０．３、０．４］である。Ｎ個の時間スロットがあり、これらの時間スロットの合計が１にならなければならないという制約があると、検索空間の次元は、Ｎ−１となる（選ばれなければならないＮ−１個の自由パラメータがある）。検索の計算コストのさらなる低減は、検索空間の次元を減少させることによって達成され得る。これを達成する１つの方法は、いくつかの実装形態において、複数の時間的変調方法を限定することによって検索空間の次元数を１に減少させることであり、それらに関連付けられた色パレットデータボリュームは、次のように、幾何学的に重み付けされた時間スロット値のセットに限定され得る。
【数２０】
2016516210.tif 000022
【０１０６】
[00101]  ここで、Ｎは、時間的平面の数であり、ｒは、降順に配列されたときの連続した時間スロットの持続時間の比である。この仮定は、検索空間をｒの１次元のみに制約することにより、計算を減少させる（この仮定がなければ、検索空間は次元Ｎを有することになる）。しかしながら、ｒ∈（０、１）を変化させることにより、画像解析データに対応する画像色域データボリュームにマッピングされ得る色パレットデータボリュームの変化したセットを得ることもできる。
【０１０７】
[00102]  サンプリングパラメータは、処理速度および／または確度などの性能基準に従って、選択され得る。概して言えば、サンプルが増えるほど、より多くのデータが処理されることになり、したがって処理時間は長くなる。図８を参照すると、これら２つの画像の画像色域分布は、比較的少数のデータ点またはサンプルで区別され得ることが認められる。これらの少数のデータ点は、たとえば、色空間内で比較的大きなサンプルボリュームを使用することによって得られ得る。たとえば、サンプルボリュームが、ａ＊軸に沿って１０ユニット、ｂ＊軸に沿って１０ユニット、およびＬ＊軸に沿って５ユニットである場合には、これは、図示の画像色域分布を区別するのに十分に小さなサンプルボリュームとなる。他の実装形態では、これより大きなサンプルボリュームを使用することもあるし、またはこれより小さなサンプルボリュームを使用することもある。サンプルボリュームのサイズは、少なくとも部分的には、色パレットデータボリューム中の色パレット値の間の平均間隔にも基づき得る。
【０１０８】
[00103]  いくつかの実装形態は、各サンプルボリューム内の色パレット値または画像色域値の数を決定することを含み得る。他の実装形態は、各サンプルボリューム内の色パレット値または画像色域値の密度を決定することを含み得る。いくつかのそのような実装形態では、値の数または密度は、たとえば１〜５、０〜９などのランクまたは換算係数に変換され得る。線形または非線形のスケールが適用され得る。たとえば、最高の値の密度または最大の値の数を含むサンプルボリュームは、換算係数９に対応し得、値を含まないサンプルボリュームは、換算係数０に対応し得る。
【０１０９】
[00104]  色パレットデータボリュームの値、密度、および／または換算係数は、様々な方法で、画像色域データボリュームのそれらにマッピングされ得る。たとえば、色パレットデータボリュームの各サンプルボリュームの換算係数は、画像色域データボリュームの各サンプルボリュームの対応する換算係数が乗算され得る。色パレットデータボリュームまたは画像色域データボリューム中のボイドは、ボイドに対応するサンプルボリューム中にゼロ値を生じる。これらのゼロ値は、任意の値が乗算されたときに、ゼロスコアを生じる。逆に、色パレットデータボリュームおよび画像色域データボリュームの両方の対応するサンプルボリュームが高い換算係数を有する場合には、大きな値が生じる。大きな値は、色パレットデータボリュームのサンプルボリュームと画像色域データボリュームのサンプルボリュームとの間の対応または一致を示す。その結果得られる積が、合計値を生成するために合計され得る。
【０１１０】
[00105]  ただし、色パレットデータボリュームと画像色域データボリュームとを比較するために、様々な他の方法も使用され得る。いくつかの実装形態では、解析プロセスは、画像にわたる平均値
【数２１】
2016516210.tif 000023
【０１１１】
を最小にすることを含み得、ここで、
【数２２】
2016516210.tif 000024
【０１１２】
は、ＣＩＥＬＡＢ空間中の所与の画像色から色パレットデータボリューム中の最も近い色パレット値までの距離を示す。距離メトリックを最小にすることにより、知覚的に均一な色空間内の画像にわたる平均定量化誤差が最小限に抑えられ得る。いくつかの実装形態では、ｒを０から１に離散的に段階的に変化させ、最小の平均
【数２３】
2016516210.tif 000025
【０１１３】
につながる比を決定することにより、最適な色パレットデータボリュームが発見され得る。
【０１１４】
[00106]  次に、図１０および図１１を参照して、いくつかの代替の方法について説明する。図１０は、選択された時間的変調方法に従ってピクセルアレイを制御する方法を概説する流れ図である。この例では、ブロック１００５で、画像データが受信される。この画像データは、たとえば、制御システム９０５などの制御システムによって受信され得る（図９参照）。
【０１１５】
[00107]  ここで、ブロック１０１０は、画像解析データを生成するために画像データを解析することを含む。いくつかの実装形態では、解析プロセスは、図９を参照して説明したプロセスと同様であり得る。ただし、いくつかの事例では、単に画像色域分布を解析するだけでは最良の結果を生じないこともある。したがって、以下で図１１を参照して、代替の解析プロセスについて説明する。
【０１１６】
[00108]  この実装形態では、ブロック１０１５は、画像解析データに従って時間的変調方法を選択することを含み、ブロック１０２０は、この時間的変調方法に従って複数のピクセルを制御することを含む。いくつかの実装形態では、時間的変調方法は、図７Ａおよび図７Ｂを参照して上述したように、特定の比（たとえば
【数２４】
2016516210.tif 000026
【０１１７】
または
【数２５】
2016516210.tif 000027
【０１１８】
）に従って幾何学的に重み付けされた時間スロットに対応し得る。いくつかのそのような実装形態によれば、時間的変調方法を選択することは、２つ以上の異なる時間スロット比の間で選択することを含み得る。ただし、上述のように、いくつかの時間的変調方法は、たとえば、等比数列に従わない時間スロット（たとえば［０．１、０．２、０．３、０．４］）を含む。したがって、いくつかの実装形態では、ブロック１０１５は、そのすべてが等比数列に従う時間スロットを必ず含むとは限らない、２つを超える異なる時間的変調方法の間で選択することを含み得る。制御プロセスは、原色と、それらの原色の間の中間の複数の色とを含む色パレットを生成し得る。
【０１１９】
[00109]  図１１は、選択された時間的変調方法に従ってピクセルアレイを制御する代替の方法を概説する流れ図である。ここで、ブロック１１０５で、画像データが受信される。ブロック１１１０で、単一の時間的変調方法を決定するために複数のフレームを解析するかどうかが、（たとえば制御システム９０５などの制御システムによって）決定される。ブロック１１１０の決定は、たとえば、ユーザ入力に、または画像データが静止画像に対応するかビデオデータに対応するかに基づき得る。その場合には、この例では、解析プロセスは、画像データの複数のフレーム中の１つまたは複数のオブジェクトの動き解析を含む（ブロック１１１５）。いくつかのそのような実装形態によれば、１つまたは複数の動くオブジェクトが識別される場合には、時間的変調方法は、少なくとも部分的には、その１つまたは複数の動くオブジェクトの画像色域分布に基づいて選択され得る。
【０１２０】
[00110]  上述のように、単に画像色域分布を解析するだけでは、いくつかの状況では、最良の結果を生じないことがある。たとえば、画像の大部分が、見る人にとって人物または動物の姿を含む画像の他の部分より重要または顕著ではない可能性がある背景（草原、空、庭など）を表していることもある。したがって、いくつかの実装形態では、画像の内容の解析を含む。
【０１２１】
[00111]  この例では、ブロック１１２０で、画像データについて顕著性解析を実行するかどうかが決定される。この決定は、少なくとも部分的には、ユーザ入力に従って、最近受信された画像データの以前の顕著性解析が顕著な特徴を示したかどうかに従って、またはその他の基準に従って行われ得る。顕著性解析が実行されない場合には、画像色域分布は、画像（１つまたは複数）中にある可能性がある顕著な特徴に関係なく決定され得る。（ブロック１１３０）。しかしながら、ブロック１１１５で１つまたは複数の動くオブジェクトが識別された場合には、この１つまたは複数の動くオブジェクトの画像色域分布が決定され得る。
【０１２２】
[00112]  顕著性解析が実行される場合には、ブロック１１２５で、画像（１つまたは複数）の最も顕著なエリアが決定され得る。顕著性解析は、たとえば、顔認識ソフトウェアなどのパターン認識ソフトウェアを使用して画像データを解析することを含み得る。さらに詳細には、人間の目は、皮膚および髪の色に特に敏感であるので、これらの領域の色を可能な限り細密に（たとえば最小の定量化誤差で）レンダリングするように時間スロットを選ぶことが望ましい可能性がある。これを達成するために、たとえば、顔認識アルゴリズムが画像中に顔を検出した場合には、検索を実行するときに、皮膚および髪の領域に対応するピクセル色データに、より高い優先度が与えられ得る。ブロック１１３０は、顕著なエリアの画像色域分布を決定することを含み得る。
【０１２３】
[00113]  ここで、ブロック１１３５は、画像色域データボリュームを生成するために画像色域分布をサンプリングすることを含む。ブロック１１４０では、画像色域データボリュームは、複数の色パレットデータボリュームと比較され得る。色パレットデータボリュームの各々は、時間的変調方法に対応し得る。時間的変調方法は、画像解析データに従って選択され得る（ブロック１１４５）。ピクセルアレイのピクセルは、この時間的変調方法に従って制御され得る（ブロック１１５０）。
【０１２４】
[00114]  図１２Ａおよび図１２Ｂは、複数のＩＭＯＤディスプレイ要素を含むディスプレイデバイス４０を示すシステムブロック図である。いくつかの実装形態では、ＩＭＯＤディスプレイ要素は、本明細書の他の箇所で説明したＭＳ−ＩＭＯＤディスプレイ要素であり得る。ディスプレイデバイス４０は、たとえば、スマートフォン、携帯電話、またはモバイル電話とすることができる。ただし、ディスプレイデバイス４０の同じ構成要素またはそれの軽微な変形は、テレビジョン、コンピュータ、タブレット、電子リーダ、ハンドヘルドデバイスおよびポータブルメディアデバイスなど、様々なタイプのディスプレイデバイスをも示す。
【０１２５】
[00115]  ディスプレイデバイス４０は、ハウジング４１と、ディスプレイ３０と、アンテナ４３と、スピーカ４５と、入力デバイス４８と、マイクロフォン４６とを含む。ハウジング４１は、射出成形、および真空成形を含む、様々な製造プロセスのうちのいずれかから形成され得る。さらに、ハウジング４１は、限定されないが、プラスチック、金属、ガラス、ゴムおよびセラミック、またはそれらの組合せを含む、様々な材料のうちのいずれかで構成され得る。ハウジング４１は、異なる色の、あるいは異なるロゴ、写真、またはシンボルを含む、他の取外し可能部分と交換され得る、取外し可能部分（図示せず）を含むことができる。
【０１２６】
[00116]  ディスプレイ３０は、本明細書に記載するように、双状態またはアナログディスプレイを含む、様々なディスプレイのうちのいずれかであり得る。ディスプレイ３０は、プラズマ、ＥＬ、ＯＬＥＤ、ＳＴＮ  ＬＣＤ、またはＴＦＴ  ＬＣＤなどのフラットパネルディスプレイ、あるいはＣＲＴまたは他の管デバイスなどの非フラットパネルディスプレイを含むようにも構成され得る。さらに、ディスプレイ３０は、ＩＭＯＤ型ディスプレイを含むことができる。ディスプレイは、本明細書に記載するようなＭＳ−ＩＭＯＤを含み得る。
【０１２７】
[00117]  ディスプレイデバイス４０の構成要素は、図１２Ａに概略的に示されている。ディスプレイデバイス４０は、ハウジング４１を含み、その中に封入された追加の構成要素を少なくとも部分的に含むこともできる。たとえば、ディスプレイデバイス４０は、トランシーバ４７に結合され得るアンテナ４３を含むネットワークインターフェース２７を含む。ネットワークインターフェース２７は、ディスプレイデバイス４０上に表示され得る画像データのためのソースであり得る。したがって、ネットワークインターフェース２７は画像ソースモジュールの一例であるが、プロセッサ２１および入力デバイス４８も画像ソースモジュールとして働き得る。トランシーバ４７はプロセッサ２１に接続され、プロセッサ２１は調整ハードウェア５２に接続される。調整ハードウェア５２は、（信号をフィルタ処理するかまたはさもなければ操作するなど）信号を調整するように構成され得る。調整ハードウェア５２はスピーカ４５とマイクロフォン４６とに接続され得る。プロセッサ２１はまた、入力デバイス４８とドライバコントローラ２９とに接続され得る。ドライバコントローラ２９はフレームバッファ２８とアレイドライバ２２とに結合され得、アレイドライバ２２はディスプレイアレイ３０に結合され得る。図１２Ａに詳細には示されていない要素を含む、ディスプレイデバイス４０の１つまたは複数の要素は、メモリデバイスとして機能するように構成され得、プロセッサ２１と通信するように構成され得る。いくつかの実装形態では、電源５０は、特定のディスプレイデバイス４０の設計では、実質的にすべての構成要素に電力を供給することができる。
【０１２８】
[00118]  ネットワークインターフェース２７は、ディスプレイデバイス４０がネットワークを介して１つまたは複数のデバイスと通信することができるように、アンテナ４３と、トランシーバ４７とを含む。ネットワークインターフェース２７はまた、たとえば、プロセッサ２１のデータ処理要件を軽減するための、何らかの処理能力を有し得る。アンテナ４３は、信号を送信および受信することができる。いくつかの実装形態では、アンテナ４３は、ＩＥＥＥ１６．１１（ａ）、（ｂ）、または（ｇ）を含むＩＥＥＥ１６．１１標準、あるいはＩＥＥＥ８０２．１１ａ、ｂ、ｇ、ｎ、およびそれらのさらなる実装形態を含むＩＥＥＥ８０２．１１標準に従って、ＲＦ信号を送信および受信する。いくつかの他の実装形態では、アンテナ４３は、Ｂｌｕｅｔｏｏｔｈ規格に従ってＲＦ信号を送信および受信する。セルラー電話の場合、アンテナ４３は、３Ｇ、４Ｇまたは５Ｇ技術を利用するシステムなどのワイヤレスネットワーク内で通信するために使用される、符号分割多元接続（ＣＤＭＡ）、周波数分割多元接続（ＦＤＭＡ）、時分割多元接続（ＴＤＭＡ）、モバイル通信用グローバルシステム（ＧＳＭ（登録商標）：Global System for Mobile communications）、ＧＳＭ／汎用パケット無線サービス（ＧＰＲＳ：General Packet Radio Service）、拡張データＧＳＭ環境（ＥＤＧＥ：Enhanced Data GSM Environment）、地上基盤無線（ＴＥＴＲＡ：Terrestrial Trunked Radio）、広帯域ＣＤＭＡ（Ｗ−ＣＤＭＡ（登録商標））、エボリューションデータオプティマイズド（ＥＶ−ＤＯ：Evolution Data Optimized）、１ｘＥＶ−ＤＯ、ＥＶ−ＤＯ  ＲｅｖＡ、ＥＶ−ＤＯ  ＲｅｖＢ、高速パケットアクセス（ＨＳＰＡ：High Speed Packet Access）、高速ダウンリンクパケットアクセス（ＨＳＤＰＡ：High Speed Downlink Packet Access）、高速アップリンクパケットアクセス（ＨＳＵＰＡ：High Speed Uplink Packet Access）、発展型高速パケットアクセス（ＨＳＰＡ＋：Evolved High Speed Packet Access）、ロングタームエボリューション（ＬＴＥ：Long Term Evolution）、ＡＭＰＳ、または他の知られている信号を受信するように設計され得る。トランシーバ４７は、アンテナ４３から受信される信号がプロセッサ２１によって受信され、さらに操作され得るように、それらの信号を事前処理することができる。トランシーバ４７は、プロセッサ２１から受信される信号がアンテナ４３を介してディスプレイデバイス４０から送信され得るように、それらの信号を処理することもできる。
【０１２９】
[00119]  いくつかの実装形態では、トランシーバ４７は、受信機で置換され得る。さらに、いくつかの実装形態では、ネットワークインターフェース２７は、プロセッサ２１に送信される画像データを記憶または生成することができる画像ソースで置換され得る。プロセッサ２１は、ディスプレイデバイス４０の全体的な動作を制御することができる。プロセッサ２１は、ネットワークインターフェース２７または画像ソースから圧縮された画像データなどのデータを受信し、そのデータを生画像データに、または生画像データに容易に処理され得るフォーマットに、処理する。プロセッサ２１は、処理されたデータを、ドライバコントローラ２９に、または記憶するためにフレームバッファ２８に、送ることができる。生データは、通常は、画像内の各位置における画像特性を識別する情報を指す。たとえば、そのような画像特性は、色、飽和およびグレースケールレベルを含むことができる。
【０１３０】
[00120]  プロセッサ２１は、マイクロコントローラ、ＣＰＵ、またはディスプレイデバイス４０の動作を制御するための論理ユニットを含むことができる。いくつかの実装形態では、プロセッサ２１は、図９の制御システム９０５に対応し得る、またはその構成要素を形成し得る。したがって、いくつかの実装形態では、プロセッサ２１は、本明細書に記載する方法を少なくとも部分的には実行するように構成され得る。たとえば、プロセッサ２１は、画像解析データを生成するために画像データを解析するように構成され得る。プロセッサ２１は、画像解析データに少なくとも部分的に基づいて、時間的変調方法を選択するように構成され得る。調整ハードウェア５２は、信号をスピーカ４５に送信し、マイクロフォン４６から信号を受信するために、増幅器と、フィルタとを含み得る。調整ハードウェア５２は、ディスプレイデバイス４０内の個別構成要素であってもよいし、あるいはプロセッサ２１または他の構成要素内に組み込まれていてもよい。
【０１３１】
[00121]  ドライバコントローラ２９は、プロセッサ２１によって生成された生画像データを、プロセッサ２１から直接、またはフレームバッファ２８から取り込むことができ、その生画像データをアレイドライバ２２への高速送信のために適当に再フォーマット化することができる。いくつかの実装形態では、ドライバコントローラ２９は、生画像データを、ラスタ様フォーマットを有するデータフローに再フォーマット化して、ディスプレイアレイ３０にわたる走査に適した時間順序を有するようにすることができる。次いで、ドライバコントローラ２９は、フォーマット化された情報をアレイドライバ２２に送る。ＬＣＤコントローラなどのドライバコントローラ２９は、独立型集積回路（ＩＣ）としてシステムプロセッサ２１と関連付けられることが多いが、そのようなコントローラは、多くの方法で実装され得る。たとえば、コントローラは、ハードウェアとしてプロセッサ２１に埋め込まれ得、ソフトウェアとしてプロセッサ２１に埋め込まれ得、またはハードウェアでアレイドライバ２２と完全に一体化され得る。
【０１３２】
[00122]  アレイドライバ２２は、ドライバコントローラ２９からフォーマットされた情報を受信することができ、ビデオデータを波形の並列セットに再フォーマットすることができ、波形の並列セットは、ディスプレイのディスプレイ要素のｘ−ｙ行列から来る、数百の、および時には数千の（またはより多くの）リード線に毎秒何回も印加される。
【０１３３】
[00123]  いくつかの実装形態では、ドライバコントローラ２９、アレイドライバ２２、およびディスプレイアレイ３０は、本明細書に記載するタイプのディスプレイのうちのいずれかに適している。たとえば、ドライバコントローラ２９は従来のディスプレイコントローラまたは双安定ディスプレイコントローラ（ＩＭＯＤディスプレイ要素コントローラなど）であり得る。さらに、アレイドライバ２２は従来のドライバまたは双安定ディスプレイドライバ（ＩＭＯＤディスプレイ要素ドライバなど）であり得る。その上、ディスプレイアレイ３０は従来のディスプレイアレイまたは双安定ディスプレイアレイ（ＩＭＯＤディスプレイ要素のアレイを含むディスプレイなど）であり得る。いくつかの実装形態では、ドライバコントローラ２９は、アレイドライバ２２と一体化され得る。そのような実装形態は、たとえばモバイル電話、ポータブル電子デバイス、腕時計、または小面積ディスプレイなど、高度に集積されたシステムで有用であり得る。
【０１３４】
[00124]  いくつかの実装形態では、入力デバイス４８は、たとえばユーザがディスプレイデバイス４０の動作を制御することを可能にするように構成され得る。入力デバイス４８は、ＱＷＥＲＴＹキーボードまたは電話キーパッドなどのキーパッド、ボタン、スイッチ、ロッカー、タッチセンシティブスクリーン、ディスプレイアレイ３０と一体化されたタッチセンシティブスクリーン、あるいは感圧膜または感熱膜を含むことができる。マイクロフォン４６は、ディスプレイデバイス４０の入力デバイスとして構成され得る。いくつかの実装形態では、マイクロフォン４６を通した音声コマンドが、ディスプレイデバイス４０の動作を制御するために使用され得る。
【０１３５】
[00125]  電源５０は様々なエネルギー蓄積デバイスを含むことができる。たとえば、電源５０は、ニッケルカドミウムバッテリまたはリチウムイオンバッテリなどの充電式バッテリであり得る。充電可能バッテリを使用する実装形態では、充電可能バッテリは、たとえば壁ソケット、あるいは光起電力デバイスまたはアレイから取られる電力を使用して充電可能であり得る。代替的に、充電式バッテリはワイヤレス充電可能であり得る。電源５０はまた、再生可能エネルギー源、キャパシタ、あるいはプラスチック太陽電池または太陽電池塗料を含む太陽電池であり得る。電源５０は、壁付きコンセントから電力を受けるようにも構成され得る。
【０１３６】
[00126]  いくつかの実装形態では、制御のプログラム可能性は、電子ディスプレイシステム中のいくつかの場所に位置づけられ得るドライバコントローラ２９にある。いくつかの他の実装形態では、制御のプログラム可能性は、アレイドライバ２２にある。上述の最適化は、任意数のハードウェア構成要素および／またはソフトウェア構成要素で、様々な構成で、実施され得る。
【０１３７】
[00127]  本明細書で使用される品目のリスト「のうちの少なくとも１つ」という文句は、個々のメンバも含めて、それらの品目の任意の組合せを指す。一例として、「ａ、ｂ、またはｃのうちの少なくとも１つ」は、ａと、ｂと、ｃと、ａ−ｂと、ａ−ｃと、ｂ−ｃと、ａ−ｂ−ｃとを包含するものとする。
【０１３８】
[00128]  本明細書に開示する実装形態に関連して説明した様々な例示的な論理、論理ブロック、モジュール、回路、およびアルゴリズムは、電子ハードウェア、コンピュータソフトウェア、またはその両方の組合せとして実装され得る。ハードウェアとソフトウェアの交換可能性については、機能性の点からすでに大まかに説明してあり、上述の様々な例示的な構成要素、ブロック、モジュール、回路、およびステップで図示されている。そのような機能性がハードウェアで実装されるかソフトウェアで実装されるかは、システム全体に課される具体的なアプリケーションおよび設計の制約によって決まる。
【０１３９】
[00129]  本明細書に開示する態様に関連して説明した様々な例示的な論理、論理ブロック、モジュール、および回路を実装するために使用されるハードウェアおよびデータ処理装置は、本明細書に記載する機能を実行するように設計された、汎用シングルチップまたはマルチチッププロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、個別ゲートまたはトランジスタ論理、個別ハードウェア構成要素、あるいはそれらの任意の組合せによって実装または実行され得る。汎用プロセッサは、マイクロプロセッサ、あるいは任意の従来のプロセッサ、コントローラ、マイクロコントローラ、または状態機械であり得る。プロセッサは、ＤＳＰとマイクロプロセッサの組合せなどのコンピューティングデバイスの組合せ、複数のマイクロプロセッサ、ＤＳＰコアと関連付けられた１つまたは複数のマイクロプロセッサ、あるいは任意の他のそのような構成として実装され得る。いくつかの実装形態では、特定のステップおよび方法は、所与の機能に特有の回路によって実行され得る。
【０１４０】
[00130]  １つまたは複数の態様では、記載した機能は、ハードウェア、デジタル電子回路、コンピュータソフトウェア、本明細書に開示の構造およびその構造的均等物を含むファームウェア、またはそれらの任意の組合せで実施され得る。本明細書に記載する対象の実装は、データ処理装置によって実行されるように、またはデータ処理装置の動作を制御するためにコンピュータ記憶媒体上に符号化された、１つまたは複数のコンピュータプログラム、すなわち１つまたは複数のコンピュータプログラム命令のモジュールとして実装され得る。
【０１４１】
[00131]  ソフトウェアで実装される場合には、それらの機能は、１つまたは複数の命令またはコードとして、コンピュータ可読媒体上に記憶され、またはコンピュータ可読媒体を介して送信され得る。本明細書に開示された方法またはアルゴリズムのステップは、コンピュータ可読媒体上に存在できるプロセッサ実行可能ソフトウェアモジュールにおいて実施され得る。コンピュータ可読媒体は、ある場所から別の場所にコンピュータプログラムを転送することを可能にされ得る任意の媒体を含む、コンピュータ記憶媒体とコンピュータ通信媒体の両方を含む。記憶媒体は、コンピュータによってアクセスされ得る任意の利用可能な媒体であってよい。例として、限定はされないが、そのようなコンピュータ可読媒体は、ＲＡＭ、ＲＯＭ、ＥＥＰＲＯＭ（登録商標）、ＣＤ−ＲＯＭまたは他の光学ディスク（disk）記憶装置、磁気ディスク（disk）記憶装置または他の磁気記憶デバイス、あるいは命令またはデータ構造の形態の所望のプログラムコードを記憶するために使用され得る、コンピュータによってアクセスされ得る任意の他の媒体を含み得る。また、任意の接続も、適宜コンピュータ可読媒体と呼ばれ得る。本明細書で使用されるディスク（disk）およびディスク（disc）は、コンパクトディスク（ＣＤ）、レーザーディスク（登録商標）（disc）、光ディスク（disc）、デジタル汎用ディスク（disc）（ＤＶＤ）、フロッピー（登録商標）ディスク（disk）、およびｂｌｕ−ｒａｙディスク（disc）を含み、ここで、ディスク（disk）は、通常、磁気的にデータを再現するものであり、ディスク（disc）は、レーザを用いて光学的にデータを再現するものである。上記の組合せもコンピュータ可読媒体の範囲内に含まれ得る。さらに、方法またはアルゴリズムの動作は、コンピュータプログラム製品に組み込まれ得る、機械可読媒体およびコンピュータ可読媒体上のコードおよび命令のうちの１つ、あるいはそれらの任意の組合せまたはセットとして存在し得る。
【０１４２】
[00132]  本開示に記載する実装形態の様々な修正は、当業者には容易に明らかになり得、本明細書で定義する包括的な原理は、本開示の趣旨または範囲を逸脱することなく、他の実装形態にも適用され得る。したがって、特許請求の範囲は、本明細書に示す実装形態に限定されるように意図されたものではなく、本開示ならびに本明細書に開示する原理および新規の特徴と矛盾しない最も広い範囲が認められるものとする。さらに、「上側」および「下側」という用語は、図の説明を簡単にするために時々使用され、適切に配向されたページ上の図の配向に対応する相対位置を示すが、たとえば、実装されたＩＭＯＤディスプレイ要素の適切な配向を反映しないことがあることを、当業者は容易に諒解されよう。
【０１４３】
[00133]  別個の実装形態という文脈で本明細書に記載される特定の特徴は、単一の実装形態で組み合わせても実装され得る。逆に、単一の実装形態という文脈で記載される様々な特徴も、複数の実装形態で、別個に、または任意の適当な部分的組合せで、実装され得る。さらに、特徴が特定の組合せで作用するものとして上記に記載され、最初にそのように請求されることもあるが、請求される組合せの１つまたは複数の特徴は、場合によっては、その組合せから切り離されることもあり、請求される組合せは、部分的組合せ、または部分的組合せの変形を対象とすることもある。
【０１４４】
[00134]  同様に、動作は、図面では特定の順序で示されているが、当業者なら、そのような動作が、示される特定の順序または順番で実行される必要はないこと、あるいはすべての図示される動作は、望ましい結果を達成するように実行されることを容易に認識するであろう。さらに、図面は、１つまたは複数の例示的なプロセスを、流れ図の形態で概略的に示し得る。しかしながら、示されていない他の動作も、概略的に図示されたそれらの例示的なプロセスに組み込まれ得る。たとえば、１つまたは複数の追加の動作が、図示の動作のいずれかの前または後に、それと同時に、またはそれらの間に、実行され得る。特定の状況では、マルチタスキングおよび並列処理が有利であり得る。さらに、上述の実装形態の様々なシステム構成要素の分離は、すべての実装形態においてそのような分離を必要とするものとして理解されるべきではなく、記載されるプログラム構成要素およびシステムは、一般に、単一のソフトウェア製品に一体化されることもあれば、複数のソフトウェア製品にパッケージングされることもあることを理解されたい。さらに、他の実装形態も、以下の特許請求の範囲内に含まれる。いくつかの場合には、特許請求の範囲に記載されるアクションは、異なる順序でも実行され得、それでも望ましい結果を達成し得る。
【図１】
2016516210.tif 000028
【図２】
2016516210.tif 000029
【図３】
2016516210.tif 000030
【図４Ａ】
2016516210.tif 000031
【図４Ｂ】
2016516210.tif 000032
【図４Ｃ】
2016516210.tif 000033
【図４Ｄ】
2016516210.tif 000034
【図４Ｅ】
2016516210.tif 000035
【図５Ａ】
2016516210.tif 000036
【図５Ｂ】
2016516210.tif 000037
【図６Ａ】
2016516210.tif 000038
【図６Ｂ】
2016516210.tif 000039
【図６Ｃ】
2016516210.tif 000040
【図６Ｄ】
2016516210.tif 000041
【図６Ｅ】
2016516210.tif 000042
【図７Ａ】
2016516210.tif 000043
【図７Ｂ】
2016516210.tif 000044
【図８】
2016516210.tif 000045
【図９】
2016516210.tif 000046
【図１０】
2016516210.tif 000047
【図１１】
2016516210.tif 000048
【図１２Ａ】
2016516210.tif 000049
【図１２Ｂ】
2016516210.tif 000050
【国際調査報告】
2016516210.tif 000051
2016516210.tif 000052
2016516210.tif 000053
2016516210.tif 000054